(57)【要約】【課題】解像度を高めつつ、フリッカ感を感じるおそれを低減することができる立体表示装置の駆動方法を得る。【解決手段】複数のバリアグループにグループ分けされた複数の光バリア（開閉部１２Ａ〜１２Ｄ）を、バリアグループ間で異なるタイミングで開閉駆動し、多視点画像（フレーム画像Ｐ１〜Ｐ８，Ｑ１〜Ｑ８）に基づいて、各バリアグループの光バリアの開閉動作に同期した表示動作を行う。上記表示動作では、複数のバリアグループの光バリアの開閉動作が一巡する一巡期間（バリア開閉周期Ｔ１）において、互いに異なる複数組の多視点画像に基づいて表示を行う。【選択図】図９
2012141400.tif 000002
【特許請求の範囲】
【請求項１】
複数のバリアグループにグループ分けされた複数の光バリアを、バリアグループ間で異なるタイミングで開閉駆動し、
多視点画像に基づいて、各バリアグループの光バリアの開閉動作に同期した表示動作を行い、
前記表示動作では、複数のバリアグループの光バリアの開閉動作が一巡する一巡期間において、互いに異なる複数組の前記多視点画像に基づいて表示を行う
立体表示装置の駆動方法。
【請求項２】
前記複数のバリアグループは４つのバリアグループであり、
前記表示動作では、前記一巡期間において、第１組および第２組の多視点画像に基づいて表示を行う
請求項１に記載の立体表示装置の駆動方法。
【請求項３】
前記複数のバリアグループは３つのバリアグループであり、
前記表示動作では、
第１の一巡期間において、第１組および第２組の多視点画像に基づいて表示を行い、
続く第２の一巡期間において、第２組および第３組の多視点画像に基づいて表示を行う
請求項１に記載の立体表示装置の駆動方法。
【請求項４】
前記複数のバリアグループは２つのバリアグループであり、
前記表示動作では、前記一巡期間において、第１組および第２組の多視点画像に基づいて表示を行う
請求項１に記載の立体表示装置の駆動方法。
【請求項５】
前記複数の光バリアは、所定の方向において、前記複数のバリアグループが巡回的に現れるように並設され、
前記表示動作では、各組の多視点画像に基づいて、互いに隣り合っていない光バリアのバリアグループに同期して表示を行う
請求項１または請求項２のいずれか１項に記載の立体表示装置の駆動方法。
【請求項６】
前記複数の光バリアは、所定の方向において、前記複数のバリアグループが巡回的に現れるように並設され、
前記表示動作では、各組の多視点画像に基づいて、互いに隣り合う光バリアのバリアグループに同期して表示を行う
請求項１から請求項３のいずれか１項に記載の立体表示装置の駆動方法。
【請求項７】
前記表示動作では、前記一巡期間において、複数組の多視点画像に基づいて、各バリアグループにそれぞれ対応する複数の系列の複合画像を生成して表示する
請求項１から請求項４のいずれか１項に記載の立体表示装置の駆動方法。
【請求項８】
複数のバリアグループにグループ分けされた複数の光バリアを、バリアグループ間で異なるタイミングで開閉動作し、
多視点画像に基づいて、各バリアグループの光バリアの開閉動作に同期した表示動作を行い、
前記表示動作では、複数のバリアグループの光バリアの開閉動作が一巡する一巡期間において、少なくとも１つのバリアグループの光バリアに対応する部分の表示が、他のバリアグループの光バリアに対応する部分の表示とは、互いに異なる多視点画像に基づいて行われる
立体表示装置の駆動方法。
【請求項９】
複数のバリアグループにグループ分けされた複数の光バリアを含む光バリア部と、
前記複数の光バリアを、バリアグループ間で異なるタイミングで開閉動作させるバリア駆動部と、
複数のバリアグループの光バリアの開閉動作が一巡する一巡期間において、互いに異なる複数組の多視点画像に基づいて表示を行う表示部と
を備えた立体表示装置。
【請求項１０】
前記表示部は液晶表示部であり、
バックライトをさらに備え、
前記液晶表示部は、前記バックライトと前記光バリア部との間に配置されている
請求項９に記載の立体表示装置。
【請求項１１】
前記表示部は液晶表示部であり、
バックライトをさらに備え、
前記光バリア部は、前記バックライトと前記液晶表示部との間に配置されている
請求項９に記載の立体表示装置。
【発明の詳細な説明】
【技術分野】
【０００１】
本発明は、立体視表示が可能な、パララックスバリア方式の立体表示装置の駆動方法および立体表示装置に関する。
【背景技術】
【０００２】
近年、立体視表示を実現できる表示装置（立体表示装置）が注目を集めている。立体視表示は、互いに視差のある（視点の異なる）左眼映像と右眼映像を表示するものであり、観察者が左右の目でそれぞれを見ることにより奥行きのある立体的な映像として認識することができる。また、互いに視差がある３つ以上の映像を表示することにより、観察者に対してより自然な立体映像を提供することが可能な表示装置も開発されている。
【０００３】
このような立体表示装置は、専用の眼鏡が必要なものと、不要なもの（裸眼立体表示装置）とに大別されるが、観察者にとっては専用の眼鏡は煩わしく感じるものであり、専用の眼鏡が不要なものが望まれている。専用の眼鏡が不要な表示装置としては、例えば、レンチキュラーレンズ方式や、視差バリア（パララックスバリア）方式などがある。これらの方式では、互いに視差がある複数の映像（視点映像）を同時に表示し、表示装置と観察者の視点との相対的な位置関係（角度）によって見える映像が異なるようになっている。
【０００４】
このような表示装置で複数の視点の映像を表示した場合には、映像の実質的な解像度が、液晶表示装置などの表示装置自体の解像度を視点の数で割ったものとなるため、画質が低下してしまうという問題があった。この問題を解決するために、様々な検討がなされている。例えば、特許文献１には、パララックスバリア方式の表示装置において、表示面内に配置された複数の液晶バリアのそれぞれの透過状態（開状態）および遮断状態（閉状態）を時分割的に切り替える表示装置が提案されている。この表示装置では、１フレーム期間において、液晶バリアを２つのバリアグループ間で切り換え、その切り換え動作に同期して左右映像（ＬＲ）および右左映像（ＲＬ）を時分割的に表示することにより、解像度の改善を図るものである。
【先行技術文献】
【特許文献】
【０００５】
【特許文献１】特開２００９−１０４１０５号公報
【発明の概要】
【発明が解決しようとする課題】
【０００６】
しかしながら、このパララックスバリア方式の表示装置において、解像度を高めることは一般に難しい。具体的には、例えば、表示装置として液晶表示装置を用いた場合には、以下に示すように、ユーザがフリッカ感を感じ、画質が劣化したように感じてしまうおそれがある。
【０００７】
液晶表示装置では、印加される電圧に応じて液晶分子が回転し、輝度が変調される。一般に、液晶分子の回転は遅いため、液晶表示装置において、実際に映像信号が印加されてから表示が完了するまでに、例えば３[msec]程度の応答時間が必要となる。つまり、液晶表示装置の表示映像の書き換え周期は、この応答時間により制約を受け、短くすることが難しい。
【０００８】
パララックスバリア方式の表示装置において、解像度を高めるために、より多くのバリアグループを設け、液晶バリアをそれらのバリアグループ間で切り換える場合には、液晶バリアの開閉動作に同期して時分割的に表示される表示映像の数も多くなる。このとき、上述したように、表示映像の書き換え周期は短くすることが難しいため、１フレーム期間は、その表示映像の数だけ（言い換えればバリアグループの数だけ）長くなってしまう。その１フレーム期間が、例えば１６．６[msec]（＝１／６０[Hz]）や２０[msec]（＝１／５０[Hz]）よりも長くなった場合には、よく知られているように、観察者は表示映像に対してフリッカ感を感じるおそれがあり、この場合には画質が劣化したように感じてしまう。
【０００９】
本発明はかかる問題点に鑑みてなされたもので、その目的は、解像度を高めつつ、フリッカ感を感じるおそれを低減することができる立体表示装置の駆動方法および立体表示装置を提供することにある。
【課題を解決するための手段】
【００１０】
本発明の第１の立体表示装置の駆動方法は、複数のバリアグループにグループ分けされた複数の光バリアを、バリアグループ間で異なるタイミングで開閉駆動し、多視点画像に基づいて、各バリアグループの光バリアの開閉動作に同期した表示動作を行うものである。上記表示動作では、複数のバリアグループの光バリアの開閉動作が一巡する一巡期間において、互いに異なる複数組の多視点画像に基づいて表示を行う。
【００１１】
本発明の第２の立体表示装置の駆動方法は、複数のバリアグループにグループ分けされた複数の光バリアを、バリアグループ間で異なるタイミングで開閉動作し、多視点画像に基づいて、各バリアグループの光バリアの開閉動作に同期した表示動作を行うものである。上記表示動作では、複数のバリアグループの光バリアの開閉動作が一巡する一巡期間において、少なくとも１つのバリアグループの光バリアに対応する部分の表示が、他のバリアグループの光バリアに対応する部分の表示とは、互いに異なる多視点画像に基づいて行われる。
【００１２】
本発明の立体表示装置は、光バリア部と、バリア駆動部と、表示部とを備えている。光バリア部は、複数のバリアグループにグループ分けされた複数の光バリアを含むものである。バリア駆動部は、複数の光バリアを、バリアグループ間で異なるタイミングで開閉動作させるものである。表示部は、複数のバリアグループの光バリアの開閉動作が一巡する一巡期間において、互いに異なる複数組の多視点画像に基づいて表示を行うものである。
【００１３】
本発明の第１および第２の立体表示装置の駆動方法、および立体表示装置では、各バリアグループの光バリアの開閉動作に同期して、多視点画像に基づく表示が行われる。その際、表示動作は、一巡期間において、互いに異なる複数組の多視点画像に基づいて行われる。
【００１４】
本発明の第１の立体表示装置の駆動方法では、例えば、複数のバリアグループは４つのバリアグループとすることができる。この場合、表示動作では、例えば、一巡期間において、第１組および第２組の多視点画像に基づいて表示を行うことが望ましい。また、例えば、複数のバリアグループは３つのバリアグループとすることができる。この場合、表示動作では、例えば、第１の一巡期間において、第１組および第２組の多視点画像に基づいて表示を行い、続く第２の一巡期間において、第２組および第３組の多視点画像に基づいて表示を行うことが望ましい。また、例えば、複数のバリアグループは２つのバリアグループとすることができる。この場合、表示動作では、例えば、一巡期間において、第１組および第２組の多視点画像に基づいて表示を行うことが望ましい。
【００１５】
また、例えば、複数の光バリアは、所定の方向において、複数のバリアグループが巡回的に現れるように並設され、表示動作では、各組の多視点画像に基づいて、互いに隣り合っていない光バリアのバリアグループに同期して表示を行うようにしてもよい。また、例えば、複数の光バリアは、所定の方向において、複数のバリアグループが巡回的に現れるように並設され、表示動作では、各組の多視点画像に基づいて、互いに隣り合う光バリアのバリアグループに同期して表示を行うようにしてもよい。
【００１６】
また、例えば、表示動作では、一巡期間において、複数組の多視点画像に基づいて、各バリアグループにそれぞれ対応する複数の系列の複合画像を生成して表示するようにしてもよい。
【００１７】
本発明の立体表示装置では、例えば、表示部は液晶表示部であり、バックライトをさらに備えていてもよい。この場合、例えば、液晶表示部が、バックライトと光バリア部との間に配置されてもよいし、光バリア部が、バックライトと液晶表示部との間に配置されていてもよい。
【発明の効果】
【００１８】
本発明の第１および第２の立体表示装置の駆動方法および立体表示装置によれば、一巡期間において、互いに異なる複数組の多視点画像に基づいて表示を行うようにしたので、解像度を高めつつ、フリッカ感を感じるおそれを低減することができる。
【図面の簡単な説明】
【００１９】
【図１】本発明の実施の形態に係る立体表示装置の一構成例を表すブロック図である。
【図２】第１の実施の形態に係る立体表示装置の一構成例を表す説明図である。
【図３】第１の実施の形態に係る表示駆動部および表示部の一構成例を表すブロックである。
【図４】第１の実施の形態に係る表示部の一構成例を表す説明図である。
【図５】第１の実施の形態に係る画素の一構成例を表す回路図である。
【図６】第１の実施の形態に係る液晶バリア部の一構成例を表す説明図である。
【図７】第１の実施の形態に係る開閉部のグループを説明するための説明図である。
【図８】第１の実施の形態に係る表示部および液晶バリア部の一動作例を表す模式図である。
【図９】第１の実施の形態に係る立体表示装置の一動作例を表すタイミング図である。
【図１０】第１の実施の形態に係る表示部および液晶バリア部の立体視表示の一動作例を表す模式図である。
【図１１】第１の実施の形態に係る視認映像を表す模式図である。
【図１２】第１の実施の形態に係るフレーム画像の画素情報配置を表す説明図である。
【図１３】第１の実施の形態に係る複合フレーム画像の画素情報配置を表す説明図である。
【図１４】第１の実施の形態に係る他のフレーム画像の画素情報配置を表す説明図である。
【図１５】第１の実施の形態に係る他の複合フレーム画像の画素情報配置を表す説明図である。
【図１６】第１の実施の形態に係る視認映像の画素情報配置を表す説明図である。
【図１７】第１の実施の形態の比較例に係る立体表示装置の一動作例を表すタイミング図である。
【図１８】第１の実施の形態の変形例に係る立体表示装置の一動作例を表すタイミング図である。
【図１９】第１の実施の形態の変形例に係る視認映像の画素情報配置を表す説明図である。
【図２０】第１の実施の形態の変形例に係る視認映像を表す模式図である。
【図２１】第２の実施の形態に係る開閉部のグループを説明するための説明図である。
【図２２】第２の実施の形態に係る表示部および液晶バリア部の一動作例を表す模式図である。
【図２３】第２の実施の形態に係る立体表示装置の一動作例を表すタイミング図である。
【図２４】第２の実施の形態に係る複合フレーム画像の画素情報配置を表す説明図である。
【図２５】第２の実施の形態に係る他の複合フレーム画像の画素情報配置を表す説明図である。
【図２６】第２の実施の形態に係る他の複合フレーム画像の画素情報配置を表す説明図である。
【図２７】第１の実施の形態の変形例に係る視認映像の画素情報配置を表す説明図である。
【図２８】変形例に係る液立体表示装置の一動作例を表すタイミング図である。
【図２９】他の変形例に係る液晶バリアの一構成例を表す平面図である。
【図３０】他の変形例に係る立体表示装置の一構成例を表す説明図である。
【図３１】他の変形例に係る立体表示装置の一動作例を表す模式図である。
【図３２】他の変形例に係る立体表示装置の一動作例を表すタイミング図である。
【図３３】他の変形例に係るバックライトの一構成例を表す説明図である。
【図３４】他の変形例に係る表示部の区域を説明するための説明図である。
【図３５】他の変形例に係る立体表示装置の一動作例を表すタイミング図である。
【図３６】他の変形例に係る液晶バリア部の一構成例を表す説明図である。
【図３７】他の変形例に係る開閉部のグループを説明するための説明図である。
【図３８】他の変形例に係る立体表示装置の一動作例を表すタイミング図である。
【発明を実施するための形態】
【００２０】
以下、本発明の実施の形態について、図面を参照して詳細に説明する。なお、説明は以下の順序で行う。
１．第１の実施の形態
２．第２の実施の形態
【００２１】
＜１．第１の実施の形態＞
［構成例］
（全体構成例）
図１は、本発明の第１の実施の形態に係る立体表示装置の一構成例を表すものである。立体表示装置１は、４つのバリアグループを有するパララックスバリア方式の表示装置である。なお、本発明の実施の形態に係る第１および第２の立体表示装置の駆動方法は、本実施の形態により具現化されるので、併せて説明する。
【００２２】
立体表示装置１は、複合画像生成部４５と、制御部４０と、表示駆動部５０と、表示部２０と、バックライト駆動部４２と、バックライト３０と、バリア駆動部４１と、液晶バリア部１０とを備えている。
【００２３】
複合画像生成部４５は、外部より供給される映像信号Ｓdispに基づいて複合処理を行い、映像信号Ｓdisp2を生成するものである。具体的には、複合画像生成部４５は、後述するように、立体表示装置１が立体視映像を表示する場合において、映像信号Ｓdispに含まれる複数（この例では８つ）の各視点映像のうち、互いに異なる２組のフレーム画像Ｐ１〜Ｐ８，Ｑ１〜Ｑ８に基づいて複合処理（後述）を行うことにより複合フレーム画像ＦＡ〜ＦＤを生成し、これらの複合フレーム画像ＦＡ〜ＦＤを含む映像信号ＳＡ〜ＳＤからなる映像信号Ｓdisp2を生成するものである。
【００２４】
制御部４０は、映像信号Ｓdisp2に基づいて、表示駆動部５０、バックライト駆動部４２、およびバリア駆動部４１がお互いに同期して動作するように制御する回路である。具体的には、制御部４０は、後述するように、立体表示装置１が立体視映像を表示する場合において、映像信号Ｓdisp2に基づいて、映像信号ＳＡ〜ＳＤを表示駆動部５０に対して供給するとともに、バックライト駆動部４２に対してバックライト制御信号ＣＢＬを供給し、バリア駆動部４１に対してバリア制御信号ＣＢＲを供給することにより、これらを制御するようになっている。
【００２５】
表示駆動部５０は、制御部４０から供給される映像信号Ｓに基づいて表示部２０を駆動するものである。表示部２０は、線順次走査により表示を行うものであり、この例では、液晶表示素子を駆動して、バックライト３０から射出した光を変調することにより表示を行うようになっている。
【００２６】
バックライト駆動部４２は、制御部４０から供給されるバックライト制御信号ＣＢＬに基づいてバックライト３０を駆動するものである。バックライト３０は、表示部２０に対して面発光した光を射出するものである。バックライト３０は、例えば、発光ダイオード（ＬＥＤ；Light Emitting Diode）や冷陰極管（ＣＣＦＬ；Cold Cathode Fluorescent Lamp）から射出した光を拡散板などにより拡散させ、ほぼ均一に面発光するようになっている。
【００２７】
バリア駆動部４１は、制御部４０から供給されるバリア制御信号ＣＢＲに基づいて液晶バリア部１０を駆動するものである。液晶バリア部１０は、液晶により構成された複数の開閉部１１，１２（後述）を有し、バックライト３０から射出し表示部２０を透過した光を、透過または遮断する機能を有している。
【００２８】
図２は、立体表示装置１の要部の一構成例を表すものであり、（Ａ）は立体表示装置１の分解斜視構成を示し、（Ｂ）は立体表示装置１の側面図を示す。図２に示したように、立体表示装置１では、これらの各部品は、バックライト３０、表示部２０、および液晶バリア部１０の順に配置されている。つまり、バックライト３０から射出した光は、表示部２０および液晶バリア部１０を介して、観察者に届くようになっている。
【００２９】
（表示駆動部５０および表示部２０）
図３は、表示駆動部５０および表示部２０のブロック図の一例を表すものである。図４は、表示部２０の一構成例を表すものである。
【００３０】
図３に示したように、表示駆動部５０は、タイミング制御部５１と、ゲートドライバ５２と、データドライバ５３とを備えている。タイミング制御部５１は、ゲートドライバ５２およびデータドライバ５３の駆動タイミングを制御するとともに、制御部４０から供給された映像信号Ｓを映像信号Ｓ１としてデータドライバ５３へ供給するものである。ゲートドライバ５２は、タイミング制御部５１によるタイミング制御に従って、表示部２０内の画素Ｐｉｘを行ごとに順次選択して、線順次走査するものである。データドライバ５３は、表示部２０の各画素Ｐｉｘへ、映像信号Ｓ１に基づく画素信号を供給するものである。具体的には、データドライバ５３は、映像信号Ｓ１に基づいてＤ／Ａ（デジタル／アナログ）変換を行うことにより、アナログ信号である画素信号を生成し、各画素Ｐｉｘへ供給するようになっている。
【００３１】
表示部２０は、例えばガラスなどから構成される２枚の透明基板の間に液晶材料を封入したものである。これらの透明基板の液晶材料に面した部分には、例えばＩＴＯ（Indium Tin Oxide）などから構成される透明電極が形成され、液晶材料とともに画素Ｐｉｘを構成している。表示部２０には、図４に示したように、画素Ｐｉｘがマトリックス状に配置されている。
【００３２】
図５は、画素Ｐｉｘの回路図の一例を表すものである。画素Ｐｉｘは、ＴＦＴ（Thin Film Transistor）素子Ｔｒと、液晶素子ＬＣと、保持容量素子Ｃａｐとを備えている。ＴＦＴ素子Ｔｒは、例えばＭＯＳ−ＦＥＴ（Metal Oxide Semiconductor-Field Effect Transistor）により構成されるものであり、ゲートがゲート線ＧＣＬに接続され、ソースがデータ線ＳＧＬに接続され、ドレインが液晶素子ＬＣの一端と保持容量素子Ｃａｐの一端に接続されている。液晶素子ＬＣは、一端がＴＦＴ素子Ｔｒのドレインに接続され、他端は接地されている。保持容量素子Ｃａｐは、一端がＴＦＴ素子Ｔｒのドレインに接続され、他端は保持容量線Ｃｓに接続されている。ゲート線ＧＣＬはゲートドライバ５２に接続され、データ線ＳＧＬはデータドライバ５３に接続されている。
【００３３】
この構成により、バックライト３０から射出した光は、表示部２０の入射側に配置された偏光板（図示せず）によって定められる方向の直線偏光となり、液晶素子ＬＣに入射する。液晶素子ＬＣでは、データ線ＳＧＬを介して供給された画素信号に応じて、液晶分子の向きがある応答時間で変化する。このような液晶素子ＬＣに入射した光は、その偏光方向が変化する。そして、液晶素子ＬＣを透過した光は、表示部２０の出射側に配置された偏光板（図示せず）に入射し、特定の偏光方向の光のみが通過する。このようにして、液晶素子ＬＣでは光の強度変調が行われるようになっている。
【００３４】
（液晶バリア部１０）
図６は、液晶バリア部１０の一構成例を表すものであり、（Ａ）は液晶バリア部１０の平面図を示し、（Ｂ）は側面図を示す。なお、この例では、液晶バリア部１０はノーマリーブラック動作を行うものとする。つまり、液晶バリア部１０は、駆動されていない状態では光を遮断するものとする。
【００３５】
液晶バリア部１０は、図６（Ａ）に示したように、光を透過または遮断する複数の開閉部１１，１２を有している。開閉部１１および開閉部１２は、ｙ軸方向（順次走査方向）に延在するように形成され、ｘ軸方向に交互に並設されている。開閉部１１，１２は、立体表示装置１が通常表示（２次元表示）および立体視表示のどちらを行うかにより、異なる動作を行う。具体的には、開閉部１１は、後述するように、立体表示装置１が通常表示を行う際に開状態（透過状態）になり、立体視表示を行う際には、閉状態（遮断状態）となるものである。開閉部１２は、後述するように、立体表示装置１が通常表示を行う際に開状態（透過状態）になり、立体視表示を行う際には、時分割的に開閉動作を行うものである。
【００３６】
液晶バリア部１０は、図６（Ｂ）に示したように、透明基板１３と、透明基板１３に対向して配置された透明基板１６と、透明基板１３と透明基板１６との間に挿設された液晶層１９とを備えている。透明基板１３，１６は、例えばガラスなどから構成されるものである。透明基板１３の液晶層１９側の面、および透明基板１６の液晶層１９側の面には、例えばＩＴＯなどから構成される複数の透明電極１５，１７がそれぞれ形成されている。透明基板１３上に形成された透明電極１５と、透明基板１６上に形成された透明電極１７とは、互いに対応する位置に配置されており、液晶層１９とともに開閉部１１，１２を構成している。透明基板１３の液晶層１９とは反対側の面、および透明基板１６の液晶層１９とは反対側の面には、偏光板１４，１８がそれぞれ形成されている。なお、図示していないが、図６（Ｂ）において、液晶バリア部１０の右側（偏光板１８の右側）には、表示部２０およびバックライト３０が図２（Ｂ）に示した順に配置されている。
【００３７】
液晶バリア部１０の開閉部１１，１２の開閉動作は、表示部２０における表示動作と同様である。すなわち、バックライト３０から射出し表示部２０を透過した光は、偏光板１８によって定められる方向の直線偏光となり、液晶層１９に入射する。液晶層１９では、透明電極１５，１７に供給された電位差に応じて、液晶分子の向きがある応答時間で変化する。このような液晶層１９に入射した光は、その偏光方向が変化する。そして、液晶層１９を透過した光は、偏光板１４に入射し、特定の偏光方向の光のみが通過する。このようにして、液晶層１９では光の強度変調が行われるようになっている。
【００３８】
この構成により、透明電極１５，１７に電圧を印加してその電位差が大きくなると、液晶層１９を通過する光の透過率が増大し、開閉部１１，１２は透過状態になる。一方、透明電極１５，１７間の電位差が小さくなると、液晶層１９を通過する光の透過率が減少し、開閉部１１，１２は遮断状態となる。
【００３９】
なお、この例では、液晶バリア部１０はノーマリーブラック動作を行うものとしたが、これに限定されるものではなく、これに代えて、例えばノーマリーホワイト動作を行うものであってもよい。この場合には、透明電極１５，１７間の電位差が大きくなると、開閉部１１，１２は遮断状態となり、透明電極１５，１７間の電位差が小さくなると、開閉部１１，１２は透過状態となる。なお、ノーマリーブラック動作とノーマリーホワイト動作の選択は、例えば、偏光板と液晶配向により設定することができる。
【００４０】
複数の開閉部１２はグループを構成し、同じグループに属する複数の開閉部１２は、立体視表示を行う際、同じタイミングで開動作および閉動作を行うようになっている。以下に、開閉部１２のグループについて説明する。
【００４１】
図７は、開閉部１２のグループ構成例を表すものである。開閉部１２は、この例では、ｘ軸方向において、４つのグループＡ〜Ｄが巡回的に現れるようにグループを構成している。なお、以下では、グループＡに属する開閉部１２の総称として開閉部１２Ａを適宜用い、グループＢに属する開閉部１２の総称として開閉部１２Ｂを適宜用い、グループＣに属する開閉部１２の総称として開閉部１２Ｃを適宜用い、そして、グループＤに属する開閉部１２の総称として開閉部１２Ｄを適宜用いるものとする。
【００４２】
バリア駆動部４１は、立体視表示を行う際、同じグループに属する複数の開閉部１２が同じタイミングで開閉動作を行うように駆動する。具体的には、バリア駆動部４１は、後述するように、グループＡに属する複数の開閉部１２Ａと、グループＢに属する複数の開閉部１２Ｂと、グループＣに属する複数の開閉部１２Ｃと、グループＤに属する複数の開閉部１２Ｄとを、時分割的に切り換えて開閉動作するように駆動する。このように、同じグループに属する複数の開閉部１２が同じタイミングで動作するためには、例えば、バリア駆動部４１が、同じグループに属する複数の開閉部１２の透明電極１５，１７に対して、同時に駆動信号を印加すればよい。また、同じグループに属する複数の開閉部１２の透明電極１５，１７を互いに結線することにより、同時に駆動信号を印加するようにしてもよい。
【００４３】
図８は、液晶バリア部１０および表示部２０の一動作例を、断面構造を用いて模式的に表すものであり、（Ａ）〜（Ｄ）は立体視表示を行う場合の４つの状態をそれぞれ示す。この例では、開閉部１２Ａは、表示部２０の８つの画素Ｐｉｘに１つの割合で設けられている。同様に、開閉部１２Ｂ，１２Ｃ，１２Ｄは、それぞれ、表示部２０の８つの画素Ｐｉｘに１つの割合で設けられている。以下の説明では、画素Ｐｉｘは、３つのサブピクセル（ＲＧＢ）から構成されたピクセルとするが、これに限定されるものではなく、例えば、画素Ｐｉｘがサブピクセルであってもよい。また、図８において、光が遮断される開閉部は斜線で示している。
【００４４】
立体表示装置１では、立体視表示を行う場合には、表示駆動部５０に映像信号ＳＡ〜ＳＤが時分割的に供給され、表示部２０はそれらに基づいて表示を行う。そして、液晶バリア部１０では、その表示に同期して開閉部１２（開閉部１２Ａ〜１２Ｄ）が時分割的に開閉動作を行い、開閉部１１が閉状態（遮断状態）を維持する。具体的には、映像信号ＳＡ（複合フレーム画像ＦＡ）が供給された場合には、図８（Ａ）に示したように、開閉部１２Ａが開状態になるとともに、それ以外の開閉部１２が閉状態になる。表示部２０では、後述するように、この開閉部１２Ａに対応した位置に配置された互いに隣接する８つの画素Ｐｉｘが、映像信号ＳＡに含まれる８つの視点映像に対応する表示（画素情報ｄ１〜ｄ８）を行う。同様に、映像信号ＳＢ（複合フレーム画像ＦＢ）が供給された場合には、図８（Ｂ）に示したように、開閉部１２Ｂが開状態になるとともに、それ以外の開閉部１２が閉状態になる。表示部２０では、この開閉部１２Ｂに対応した位置に配置された互いに隣接する８つの画素Ｐｉｘが、映像信号ＳＢに含まれる８つの視点映像に対応する表示（画素情報ｄ１〜ｄ８）を行う。また、映像信号ＳＣ（複合フレーム画像ＦＣ）が供給された場合には、図８（Ｃ）に示したように、開閉部１２Ｃが開状態になるとともに、それ以外の開閉部１２が閉状態になる。表示部２０では、この開閉部１２Ｃに対応した位置に配置された互いに隣接する８つの画素Ｐｉｘが、映像信号ＳＣに含まれる８つの視点映像に対応する表示（画素情報ｄ１〜ｄ８）を行う。また、映像信号ＳＤ（複合フレーム画像ＦＤ）が供給された場合には、図８（Ｄ）に示したように、開閉部１２Ｄが開状態になるとともに、それ以外の開閉部１２が閉状態になる。表示部２０では、この開閉部１２Ｄに対応した位置に配置された互いに隣接する８つの画素Ｐｉｘが、映像信号ＳＤに含まれる８つの視点映像に対応する表示（画素情報ｄ１〜ｄ８）を行う。これにより、観察者は、後述するように、例えば左眼と右眼とで異なる視点映像を見ることができ、表示された映像を立体的な映像として感じるようになっている。立体表示装置１では、このように、開閉部１２Ａ〜１２Ｄを時分割的に切り換えて開放し映像を表示することにより、後述するように、表示装置の解像度を高めることができるようになっている。
【００４５】
なお、通常表示（２次元表示）を行う場合には、液晶バリア部１０では、開閉部１１および開閉部１２（開閉部１２Ａ〜１２Ｄ）はともに開状態（透過状態）を維持するようになっている。これにより、観察者は、映像信号Ｓに基づいて表示部２０に表示された通常の２次元映像をそのまま見ることができる。
【００４６】
ここで、開閉部１２は、本発明における「光バリア」の一具体例に対応する。グループＡ〜Ｄは、本発明における「バリアグループ」の一具体例に対応する。フレーム画像Ｐ１〜Ｐ８，Ｑ１〜Ｑ８は、本発明における「多視点画像」の一具体例に対応する。バリア開閉周期Ｔ１の期間は、本発明における「一巡期間」の一具体例に対応する。複合フレーム画像ＦＡ〜ＦＤは、本発明における「複合画像」の一具体例に対応する。液晶バリア部１０は、本発明における「光バリア部」の一具体例に対応する。
【００４７】
［動作および作用］
続いて、本実施の形態の立体表示装置１の動作および作用について説明する。
【００４８】
（全体動作概要）
まず、図１を参照して、立体視表示を行う場合の立体表示装置１の全体動作を説明する。複合画像生成部４５は、外部より供給される映像信号Ｓdispに含まれる各視点映像（フレーム画像Ｐ１〜Ｐ８，Ｑ１〜Ｑ８）に対して複合処理を行うことにより複合フレーム画像ＦＡ〜ＦＤを生成し、この複合フレーム画像ＦＡ〜ＦＤを含む映像信号ＳＡ〜ＳＤからなる映像信号Ｓdisp2を生成する。制御部４０は、映像信号Ｓdisp2に基づいて映像信号ＳＡ〜ＳＤを表示駆動部５０に供給するとともに、バックライト駆動部４２、およびバリア駆動部４１に対してそれぞれ制御信号を供給し、これらがお互いに同期して動作するように制御する。バックライト駆動部４２は、バックライト３０を駆動する。バックライト３０は、面発光した光を表示部２０に対して射出する。表示駆動部５０は、制御部４０から供給される映像信号ＳＡ〜ＳＤに基づいて表示部２０を駆動する。表示部２０は、バックライト３０から射出した光を変調することにより表示を行う。バリア駆動部４１は液晶バリア部１０を駆動する。液晶バリア部１０の開閉部１１，１２（１２Ａ〜１２Ｄ）は、バックライト３０から射出し表示部２０を透過した光を透過または遮断する。
【００４９】
（立体視表示時の詳細動作）
次に、いくつかの図を参照して、立体視表示を行う場合の詳細動作を説明する。
【００５０】
図９は、立体表示装置１における表示動作のタイミング図を表すものであり、（Ａ）は映像信号Ｓdispを示し、（Ｂ）は映像信号ＳＡ〜ＳＤを示し、（Ｃ）は表示部２０の動作を示し、（Ｄ）〜（Ｇ）は液晶バリア部１０の開閉部１２Ａ〜１２Ｄの動作をそれぞれ示す。
【００５１】
図９（Ｃ）の縦軸は、表示部２０の線順次走査方向（ｙ軸方向）の位置を示している。つまり、図９（Ｃ）は、ある時刻の、あるｙ軸方向の位置における表示部２０の動作状態を示している。図９（Ｃ）において、“ＦＡ”は、表示部２０が映像信号ＳＡに基づき複合フレーム画像ＦＡを表示している状態を示し、“ＦＢ”は、表示部２０が映像信号ＳＢに基づき複合フレーム画像ＦＢを表示している状態を示し、“ＦＣ”は、表示部２０が映像信号ＳＣに基づき複合フレーム画像ＦＣを表示している状態を示し、“ＦＤ”は、表示部２０が映像信号ＳＤに基づき複合フレーム画像ＦＤを表示している状態を示している。また、図９（Ｄ）〜（Ｇ）において、“開”は開閉部１２（１２Ａ〜１２Ｄ）が開状態（透過状態）であることを示し、“閉”は開閉部１２が閉状態（遮断状態）であることを示している。
【００５２】
立体表示装置１には、映像供給周期Ｔ０ごとに、８視点分の視点映像（画像フレームＰ１〜Ｐ８，Ｑ１〜Ｑ８）が映像信号Ｓdispとして供給される。立体表示装置１では、複合画像生成部４５が、互いに異なる２組の画像フレームＰ１〜Ｐ８，Ｑ１〜Ｑ８に基づいて複合フレーム画像ＦＡ〜ＦＤを生成して、表示部２０が複合フレーム画像ＦＡ〜ＦＤを時分割的に表示する。そして、開閉部１２Ａ〜１２Ｄが、バリア開閉周期Ｔ１においてその表示に同期して開閉動作する。すなわち、映像供給周期Ｔ０に対応する期間の２つ分が、バリア開閉周期Ｔ１に対応する期間の１つ分と等しくなっている。そして、立体表示装置１は、動作周期Ｔごとにこの動作を繰り返す。ここで、映像供給周期Ｔ０は、例えば約１６．７[msec]（＝１／６０[Hz]）である。この場合、バリア開閉周期Ｔ１および動作周期Ｔは、例えば約３３．３[msec]（＝１／３０[Hz]）である。なお、映像供給周期Ｔ０およびバリア開閉周期Ｔ１はこれに限定されるものではない。例えば、映像供給周期Ｔ０は２０[msec]（＝１／５０[Hz]）であり、バリア開閉周期Ｔ１および動作周期Ｔは４０[msec]（＝１／２５[Hz]）であってもよいし、これに代えて他の値であってもよい。以下に、この詳細動作を説明する。
【００５３】
立体表示装置１は、タイミングｔ１〜ｔ３の期間において、複合フレーム画像ＦＡの表示を行う。
【００５４】
まず、複合画像生成部４５は、画像フレームＰ１〜Ｐ８に基づいて、複合処理により複合フレーム画像ＦＡ（映像信号ＳＡ）を生成する（図９（Ｂ））。
【００５５】
そして、タイミングｔ１〜ｔ２の期間において、表示部２０では、表示駆動部５０から供給される駆動信号に基づき、最上部から最下部に向かって線順次走査が行われ、複合フレーム画像ＦＡの表示が行われる（図９（Ｃ））。液晶バリア部１０では、このタイミングｔ１〜ｔ２の期間において、開閉部１２Ａ〜１２Ｄが閉状態を維持する（図９（Ｄ）〜（Ｇ））。これにより、観察者は、表示部２０における表示画像の過渡的な変化を見ることがないので、画質劣化を低減することができる。
【００５６】
そして、タイミングｔ２〜ｔ３の期間において、表示部２０では、表示駆動部５０から供給される駆動信号に基づき、最上部から最下部に向かって線順次走査が行われ、複合フレーム画像ＦＡの表示が再度行われる（図９（Ｃ））。すなわち、この例では、タイミングｔ１〜ｔ３の期間において、複合フレーム画像ＦＡの表示動作が２回繰り返される。これにより、２回目の表示を行う時には、表示部２０における液晶分子の応答が終了しているため、安定した映像を得ることができる。液晶バリア部１０では、このタイミングｔ２〜ｔ３の期間のうち、表示部２０の液晶が応答し終わった期間において、バリア駆動部４１からの駆動信号に基づき、開閉部１２Ａが開状態になる（図９（Ｄ））。これにより、この開期間において、観察者は表示部２０における複合フレーム画像ＦＡの表示を見ることができる。
【００５７】
図１０は、複合フレーム画像ＦＡを表示する場合の表示部２０および液晶バリア部１０の動作例を表すものである。複合フレーム画像ＦＡ（映像信号ＳＡ）を表示する場合には、表示部２０は、図８（Ａ）において説明したように、複合フレーム画像ＦＡに含まれる８つの視点映像にそれぞれ対応する画素情報ｄ１〜ｄ８を開閉部１２Ａ付近に配置された画素Ｐｉｘにそれぞれ表示する。そして、液晶バリア部１０では、開放部１２Ａが開状態（透過状態）になるとともに、開放部１２Ｂ〜１２Ｄが閉状態になる。これにより、表示部２０の各画素Ｐｉｘから出た光は、開閉部１２Ａによりそれぞれ角度が制限されて出力される。観察者は、例えば左眼で画素情報ｄ４を、右眼で画素情報ｄ５を見ることにより、立体的な映像を見ることができる。
【００５８】
次に、立体表示装置１は、タイミングｔ３〜ｔ５の期間において、複合フレーム画像ＦＢの表示を行う。
【００５９】
まず、複合画像生成部４５は、画像フレームＰ１〜Ｐ８に基づいて、複合処理により複合フレーム画像ＦＢ（映像信号ＳＢ）を生成する（図９（Ｂ））。
【００６０】
そして、タイミングｔ３〜ｔ４の期間において、表示部２０では、表示駆動部５０から供給される駆動信号に基づき、複合フレーム画像ＦＢの表示が行われる（図９（Ｃ））。液晶バリア部１０では、このタイミングｔ３〜ｔ４の期間において、開閉部１２Ａ〜１２Ｄが閉状態を維持する（図９（Ｄ）〜（Ｇ））。これにより、観察者は、表示部２０における複合フレーム画像ＦＡの表示から複合フレーム画像ＦＢの表示への過渡的な変化を見ることがないので、画質劣化を低減することができる。
【００６１】
そして、タイミングｔ４〜ｔ５の期間において、表示部２０では、表示駆動部５０から供給される駆動信号に基づき、複合フレーム画像ＦＢの表示が再度行われる（図９（Ｃ））。液晶バリア部１０では、このタイミングｔ４〜ｔ５の期間のうち、表示部２０の液晶が応答し終わった期間において、バリア駆動部４１からの駆動信号に基づき、開閉部１２Ｂが開状態になる（図９（Ｅ））。これにより、この開期間において、観察者は、複合フレーム画像ＦＡの場合（図１０）と同様に、表示部２０における複合フレーム画像ＦＢの表示を見ることができる。
【００６２】
次に、立体表示装置１は、タイミングｔ５〜ｔ７の期間において、複合フレーム画像ＦＣの表示を行う。
【００６３】
まず、複合画像生成部４５は、新たに供給された画像フレームＱ１〜Ｑ８に基づいて、複合処理により複合フレーム画像ＦＣ（映像信号ＳＣ）を生成する（図９（Ｂ））。
【００６４】
そして、タイミングｔ５〜ｔ６の期間において、表示部２０では、表示駆動部５０から供給される駆動信号に基づき、複合フレーム画像ＦＣの表示が行われる（図９（Ｃ））。液晶バリア部１０では、このタイミングｔ５〜ｔ６の期間において、開閉部１２Ａ〜１２Ｄが閉状態を維持する（図９（Ｄ）〜（Ｇ））。これにより、観察者は、表示部２０における複合フレーム画像ＦＢの表示から複合フレーム画像ＦＣの表示への過渡的な変化を見ることがないので、画質劣化を低減することができる。
【００６５】
そして、タイミングｔ６〜ｔ７の期間において、表示部２０では、表示駆動部５０から供給される駆動信号に基づき、複合フレーム画像ＦＣの表示が再度行われる（図９（Ｃ））。液晶バリア部１０では、このタイミングｔ６〜ｔ７の期間のうち、表示部２０の液晶が応答し終わった期間において、バリア駆動部４１からの駆動信号に基づき、開閉部１２Ｃが開状態になる（図９（Ｆ））。これにより、この開期間において、観察者は、複合フレーム画像ＦＡの場合（図１０）と同様に、表示部２０における複合フレーム画像ＦＣの表示を見ることができる。
【００６６】
次に、立体表示装置１は、タイミングｔ７〜ｔ９の期間において、複合フレーム画像ＦＤの表示を行う。
【００６７】
まず、複合画像生成部４５は、画像フレームＱ１〜Ｑ８に基づいて、複合処理により複合フレーム画像ＦＤ（映像信号ＳＤ）を生成する（図９（Ｂ））。
【００６８】
そして、タイミングｔ７〜ｔ８の期間において、表示部２０では、表示駆動部５０から供給される駆動信号に基づき、複合フレーム画像ＦＤの表示が行われる（図９（Ｃ））。液晶バリア部１０では、このタイミングｔ７〜ｔ８の期間において、開閉部１２Ａ〜１２Ｄが閉状態を維持する（図９（Ｄ）〜（Ｇ））。これにより、観察者は、表示部２０における複合フレーム画像ＦＢの表示から複合フレーム画像ＦＤの表示への過渡的な変化を見ることがないので、画質劣化を低減することができる。
【００６９】
そして、タイミングｔ８〜ｔ９の期間において、表示部２０では、表示駆動部５０から供給される駆動信号に基づき、複合フレーム画像ＦＤの表示が再度行われる（図９（Ｃ））。液晶バリア部１０では、このタイミングｔ８〜ｔ９の期間のうち、表示部２０の液晶が応答し終わった期間において、バリア駆動部４１からの駆動信号に基づき、開閉部１２Ｄが開状態になる（図９（Ｇ））。これにより、この開期間において、観察者は、複合フレーム画像ＦＡの場合（図１０）と同様に、表示部２０における複合フレーム画像ＦＤの表示を見ることができる。
【００７０】
以上の動作を繰り返すことにより、立体表示装置１は、映像信号Ｓdispとして供給された、互いに異なる２組のフレーム画像Ｐ１〜Ｐ８，Ｑ１〜Ｑ８に基づいて複合フレーム画像ＦＡ〜ＦＤを生成し、複合フレーム画像ＦＡの表示（開閉部１２Ａにおける表示）と、複合フレーム画像ＦＢの表示（開閉部１２Ｂにおける表示）と、複合フレーム画像ＦＣの表示（開閉部１２Ｃにおける表示）と、複合フレーム画像ＦＤの表示（開閉部１２Ｄにおける表示）とを時分割的に切り換えて行う。
【００７１】
立体表示装置１は、フレーム画像Ｐ１〜Ｐ８に基づいて生成された複合フレーム画像ＦＡ，ＦＢ、およびフレーム画像Ｑ１〜Ｑ８に基づいて生成された複合フレーム画像ＦＣ，ＦＤを、それぞれ、互いにずれた位置（開閉部１２Ａ〜１２Ｄ）に時分割的に切り換えて表示する。観察者は、これらの時分割的な表示が積分されたものを画像として視認する。以下に、その視認画像について説明する。
【００７２】
図１１は、立体表示装置１の表示例を表すものであり、（Ａ）は、フレーム画像Ｐ１〜Ｐ８に基づく表示期間における視認画像を示し、（Ｂ）は、フレーム画像Ｑ１〜Ｑ８に基づく表示期間における視認画像を示し、（Ｃ）は、１動作周期期間における視認画像を示す。フレーム画像Ｐ１〜Ｐ８に基づく表示期間は、図９におけるタイミングｔ１〜ｔ５の期間に対応するものであり、フレーム画像Ｑ１〜Ｑ８に基づく表示期間は、図９におけるタイミングｔ５〜ｔ９の期間に対応するものである。また、１動作周期期間は、図９におけるタイミングｔ１〜ｔ９の期間に対応するものである。なお、図１１では、説明の便宜上、開閉部１１を省略している。
【００７３】
フレーム画像Ｐ１〜Ｐ８が供給された場合、立体表示装置１は、図１１（Ａ）に示したように、複合フレーム画像ＦＡ，ＦＢを、それぞれ開閉部１２Ａ，１２Ｂに対応する部分に表示する。また、フレーム画像Ｐ１〜Ｐ８とは異なるフレーム画像Ｑ１〜Ｑ８が供給された場合、立体表示装置１は、図１１（Ｂ）に示したように、複合フレーム画像ＦＣ，ＦＤを、それぞれ開閉部１２Ｃ，１２Ｄに対応する部分に表示する。これにより、１動作周期期間では、フレーム画像Ｐ１〜Ｐ８に係る表示期間における視認画像（図１１（Ａ））と、フレーム画像Ｑ１〜Ｑ８に係る表示期間における視認画像（図１１（Ｂ））とが重なりあい、図１１（Ｃ）に示したような視認画像となる。
【００７４】
このように、互いに異なるフレーム画像により生成された、複合フレーム画像ＦＡ，ＦＢと、複合フレーム画像ＦＣ，ＦＤとを、互いにずれた位置（開閉部１２Ａ〜１２Ｄ）に時分割的に切り換えて表示することにより、インターレース表示のような効果を得ることができる。特に、動画を表示する場合には、フリッカ感を低減し滑らかな映像を得ることができる。
【００７５】
（複合画像生成部４５の動作）
次に、複合画像生成部４５における複合処理について説明する。
【００７６】
立体表示装置１では、複合画像生成部４５は、フレーム画像Ｐ１〜Ｐ８に対して複合処理を行うことにより複合フレーム画像ＦＡ，ＦＢを生成し、フレーム画像Ｐ１〜Ｐ８と異なるフレーム画像Ｑ１〜Ｑ８に対して複合処理を行うことにより複合フレーム画像ＦＣ，ＦＤを生成する。
【００７７】
まず最初に、複合フレーム画像ＦＡ，ＦＢの生成について説明する。
【００７８】
図１２は、フレーム画像Ｐ１〜Ｐ８の画素情報配置を表すものである。図１３（Ａ）は、複合フレーム画像ＦＡの画素情報配置を表すものであり、図１３（Ｂ）は、複合フレーム画像ＦＢの画素情報配置を表すものである。複合画像生成部４５は、入力された映像信号Ｓdispに含まれる８つの視点映像のフレーム画像Ｐ１〜Ｐ８（図１２）に対して複合処理を行い、複合フレーム画像ＦＡ，ＦＢ（図１３）を生成する。
【００７９】
フレーム画像Ｐ１〜Ｐ８は、図１２に示したように、マトリックス状に配置された複数の画素情報によりそれぞれ構成されている。具体的には、例えば、フレーム画像Ｐ１は、マトリックス状に配置された複数の画素情報Ｐ１（０，０），…，Ｐ１（ｍ，ｎ），…（ｍ，ｎ：整数）により構成され、フレーム画像Ｐ２は、複数の画素情報Ｐ２（０，０），…，Ｐ２（ｍ，ｎ），…により構成されている。
【００８０】
複合画像生成部４５は、これらのフレーム画像Ｐ１〜Ｐ８のそれぞれにおいて４列おきに画素情報を選択し、その選択された画素情報に基づいて複合フレーム画像ＦＡ，ＦＢを生成する。
【００８１】
複合フレーム画像ＦＡの生成を行う際には、複合画像生成部４５は、まず、フレーム画像Ｐ１〜Ｐ８の第０列の画素情報（Ｐ１（０，ｎ），Ｐ２（０，ｎ），…，Ｐ８（０，ｎ））をそれぞれ選択し、図１３（Ａ）に示したように、複合フレーム画像ＦＡの左から右に向かって配置する。次に、複合画像生成部４５は、フレーム画像Ｐ１〜Ｐ８の第４列の画素情報（Ｐ１（４，ｎ），Ｐ２（４，ｎ），…，Ｐ８（４，ｎ））をそれぞれ選択し、続いて配置する。複合画像生成部４５は、引き続きこのような処理を行うことにより、複合フレーム画像ＦＡを生成する。ここで、複合フレーム画像ＦＡにおける各画素情報は、図８（Ａ）における各画素情報と対応している。具体的には、例えば、複合フレーム画像ＦＡにおける画素情報Ｐ１（０，ｎ），Ｐ１（４，ｎ），…は、図８（Ａ）における画素情報ｄ１に対応し、複合フレーム画像ＦＡにおける画素情報Ｐ２（０，ｎ），Ｐ２（４，ｎ），…は、図８（Ａ）における画素情報ｄ２に対応している。
【００８２】
複合フレーム画像ＦＢの生成を行う際には、複合画像生成部４５は、まず、ダミーの画素情報Ｐ７（−３，ｎ），Ｐ８（−３，ｎ）を配置した後、フレーム画像Ｐ１〜Ｐ８の第１列の画素情報（Ｐ１（１，ｎ），Ｐ２（１，ｎ），…，Ｐ８（１，ｎ））をそれぞれ選択し、図１３（Ｂ）に示したように、複合フレーム画像ＦＢの左から右に向かって配置する。次に、複合画像生成部４５は、フレーム画像Ｐ１〜Ｐ８の第５列の画素情報（Ｐ１（５，ｎ），Ｐ２（５，ｎ），…，Ｐ８（５，ｎ））をそれぞれ選択し、続いて配置する。複合画像生成部４５は、引き続きこのような処理を行うことにより、複合フレーム画像ＦＢを生成する。ここで、複合フレーム画像ＦＢにおける各画素情報は、図８（Ｂ）における各画素情報と対応している。具体的には、例えば、複合フレーム画像ＦＢにおける画素情報Ｐ１（１，ｎ），Ｐ１（５，ｎ），…は、図８（Ｂ）における画素情報ｄ１に対応し、複合フレーム画像ＦＢにおける画素情報Ｐ２（１，ｎ），Ｐ２（５，ｎ），…は、図８（Ｂ）における画素情報ｄ２に対応している。
【００８３】
なお、ダミーの画素情報は、例えば、黒色の情報を使用可能である。また、例えば、近くに配置された画素の画素情報に基づいて補間などにより生成するようにしてもよい。
【００８４】
複合画像生成部４５は、上述した複合フレーム画像ＦＡ，ＦＢの生成と同様の複合処理により、複合フレーム画像ＦＣ，ＦＤを生成する。以下に、複合フレーム画像ＦＣ，ＦＤの生成について説明する。
【００８５】
図１４は、フレーム画像Ｑ１〜Ｑ８の画素情報配置を表すものである。図１５（Ａ）は、複合フレーム画像ＦＣの画素情報配置を表すものであり、図１５（Ｂ）は、複合フレーム画像ＦＤの画素情報配置を表すものである。複合画像生成部４５は、入力された映像信号Ｓdispに含まれる８つの視点映像のフレーム画像Ｑ１〜Ｑ８（図１４）に対して複合処理を行い、複合フレーム画像ＦＣ，ＦＤ（図１５）を生成する。
【００８６】
フレーム画像Ｑ１〜Ｑ８は、図１４に示したように、マトリックス状に配置された複数の画素情報によりそれぞれ構成されている。具体的には、例えば、フレーム画像Ｑ１は、マトリックス状に配置された複数の画素情報Ｑ１（０，０），…，Ｑ１（ｍ，ｎ），…により構成され、フレーム画像Ｑ２は、複数の画素情報Ｑ２（０，０），…，Ｑ２（ｍ，ｎ），…により構成されている。
【００８７】
複合フレーム画像ＦＣの生成を行う際には、複合画像生成部４５は、まず、ダミーの画素情報Ｑ５（−２，ｎ），Ｑ６（−２，ｎ），Ｑ７（−２，ｎ），Ｑ８（−２，ｎ）を配置した後、フレーム画像Ｑ１〜Ｑ８の第２列の画素情報（Ｑ１（２，ｎ），Ｑ２（２，ｎ），…，Ｑ８（２，ｎ））をそれぞれ選択し、図１５（Ａ）に示したように、複合フレーム画像ＦＣの左から右に向かって配置する。次に、複合画像生成部４５は、フレーム画像Ｑ１〜Ｑ８の第６列の画素情報（Ｑ１（６，ｎ），Ｑ２（６，ｎ），…，Ｑ８（６，ｎ））をそれぞれ選択し、続いて配置する。複合画像生成部４５は、引き続きこのような処理を行うことにより、複合フレーム画像ＦＣを生成する。ここで、複合フレーム画像ＦＣにおける各画素情報は、図８（Ｃ）における各画素情報と対応している。具体的には、例えば、複合フレーム画像ＦＣにおける画素情報Ｑ１（２，ｎ），Ｑ１（６，ｎ），…は、図８（Ｃ）における画素情報ｄ１に対応し、複合フレーム画像ＦＣにおける画素情報Ｑ２（２，ｎ），Ｑ２（６，ｎ），…は、図８（Ｃ）における画素情報ｄ２に対応している。
【００８８】
複合フレーム画像ＦＤの生成を行う際には、複合画像生成部４５は、まず、ダミーの画素情報Ｑ３（−１，ｎ），Ｑ４（−１，ｎ），Ｑ５（−１，ｎ），Ｑ６（−１，ｎ），Ｑ７（−１，ｎ），Ｑ８（−１，ｎ）を配置した後、フレーム画像Ｑ１〜Ｑ８の第３列の画素情報（Ｑ１（３，ｎ），Ｑ２（３，ｎ），…，Ｑ８（３，ｎ））をそれぞれ選択し、図１５（Ｂ）に示したように、複合フレーム画像ＦＤの左から右に向かって配置する。次に、複合画像生成部４５は、フレーム画像Ｑ１〜Ｑ８の第７列の画素情報（Ｑ１（７，ｎ），Ｑ２（７，ｎ），…，Ｑ８（７，ｎ））をそれぞれ選択し、続いて配置する。複合画像生成部４５は、引き続きこのような処理を行うことにより、複合フレーム画像ＦＤを生成する。ここで、複合フレーム画像ＦＤにおける各画素情報は、図８（Ｄ）における各画素情報と対応している。具体的には、例えば、複合フレーム画像ＦＤにおける画素情報Ｑ１（３，ｎ），Ｑ１（７，ｎ），…は、図８（Ｄ）における画素情報ｄ１に対応し、複合フレーム画像ＦＤにおける画素情報Ｑ２（３，ｎ），Ｑ２（７，ｎ），…は、図８（Ｄ）における画素情報ｄ２に対応している。
【００８９】
立体表示装置１は、複合画像生成部４５により生成された複合フレーム画像ＦＡ〜ＦＤを、互いにずれた位置（開閉部１２Ａ〜１２Ｄ）に時分割的に切り換えて表示する。観察者は、これらの時分割的な表示が積分されたものを画像として視認する。以下に、その視認画像の画素情報配置について説明する。
【００９０】
図１６は、視認画像の画素情報配置を表すものである。この例では、観察者が、一方の目で８つの視点映像のうちの一つ（ここではフレーム画像Ｐ１，Ｑ１）を見る場合を示している。
【００９１】
立体表示装置１は、図１６に示したように、観察者が、表示画面の左から右に向かって画素情報Ｐ１（０，ｎ），Ｐ１（１，ｎ），Ｑ１（２，ｎ），Ｑ１（３，ｎ），Ｐ１（４，ｎ），Ｐ１（５，ｎ），Ｑ１（６，ｎ），…のように配列した画像を視認するように表示する。ここで、画素情報Ｐ１（０，ｎ），Ｐ１（４，ｎ）などは、複合フレーム画像ＦＡ（図１３（Ａ））に基づき、開閉部１２Ａが開状態になったときに表示されたものであり、画素情報Ｐ１（１，ｎ），Ｐ１（５，ｎ）などは、複合フレーム画像ＦＢ（図１３（Ｂ））に基づき、開閉部１２Ｂが開状態になったときに表示されるものである。同様に、画素情報Ｑ１（２，ｎ），Ｑ１（６，ｎ）などは、複合フレーム画像ＦＣ（図１５（Ａ））に基づき、開閉部１２Ｃが開状態になったときに表示されたものであり、画素情報Ｑ１（３，ｎ）などは、複合フレーム画像ＦＤ（図１５（Ｂ））に基づき、開閉部１２Ｄが開状態になったときに表示されるものである。なお、図１６において、左右方向に隣接する画素情報の間の空白は、開閉部１１の領域に対応するものである。
【００９２】
このように、４つのグループに係る開閉部１２Ａ〜１２Ｄを時分割的に切り換えて開放し映像を表示することによって、立体表示装置１は、開閉部１２Ａのみをもつ場合に比べ、４倍の解像度を実現することが可能となる。言い換えれば、立体表示装置１の解像度は、２次元表示の場合に比べ１／２（＝１／８×４）で済むこととなる。
【００９３】
（比較例）
次に、比較例に係る立体表示装置１Ｒについて説明する。立体表示装置１Ｒは、１組のフレーム画像Ｐ１〜Ｐ８に基づいて、複合フレーム画像ＦＡ〜ＦＤを生成するものである。
【００９４】
図１７は、立体表示装置１Ｒにおける表示動作のタイミング図を表すものであり、（Ａ）は映像信号Ｓdispを示し、（Ｂ）は映像信号ＳＡ〜ＳＤを示し、（Ｃ）は表示部２０の動作を示し、（Ｄ）〜（Ｇ）は液晶バリア部１０の開閉部１２Ａ〜１２Ｄの動作をそれぞれ示す。
【００９５】
図１７（Ａ），（Ｂ）に示したように、本比較例に係る立体表示装置１Ｒは、本実施の形態に係る立体表示装置１の場合（図９）とは異なり、１組のフレーム画像Ｐ１〜Ｐ８に基づいて複合フレーム画像ＦＡ〜ＦＤを生成している。言い換えれば、立体表示装置１Ｒでは、映像供給周期Ｔ０Ｒとバリア開閉周期Ｔ１とが等しくなっている。これにより、本比較例に係る映像供給周期Ｔ０Ｒは、本実施の形態に係る映像供給周期Ｔ０の２倍になっている。具体的には、本実施の形態に係る映像供給周期Ｔ０が１６．７[msec]（＝１／６０[Hz]）の場合、本比較例に係る映像供給周期Ｔ０Ｒは３３．３[msec]（＝１／３０[Hz]）となる。このような長い周期で映像が供給された場合には、よく知られているように、観察者は、表示映像に対してフリッカ感を感じるおそれがあり、この場合には画質が劣化したように感じてしまう。
【００９６】
一方、本実施の形態では、図９に示したように、２組のフレーム画像Ｐ１〜Ｐ８，Ｑ１〜Ｑ８に基づいて複合フレーム画像ＦＡ〜ＦＤを生成するようにしたので、映像供給周期Ｔ０を短くすることができる。これにより、観察者が、表示映像に対してフリッカ感を感じるおそれを低減することができ、画質の劣化を抑えることができる。
【００９７】
［効果］
以上のように本実施の形態では、２組のフレーム画像に基づいて複合フレーム画像を生成するようにしたので、解像度を高めつつ、フリッカ感を感じるおそれを低減することができ、画質を高めることができる。
【００９８】
［変形例１−１］
上記実施の形態では、開閉部１２Ａ〜１２Ｄをこの順で時分割的に切り換えて開閉動作したが、これに限定されるものではなく、これと異なる順番で開閉部１２Ａ〜１２Ｄを開閉してもよい。以下に、その一例について説明する。
【００９９】
図１８は、本変形例に係る立体表示装置における表示動作のタイミング図を表すものであり、（Ａ）は映像信号Ｓdispを示し、（Ｂ）は映像信号ＳＡ〜ＳＤを示し、（Ｃ）は表示部２０の動作を示し、（Ｄ）〜（Ｇ）は液晶バリア部１０の開閉部１２Ａ〜１２Ｄの動作をそれぞれ示す。開閉部１２Ａ〜１２Ｄは、図１８に示したように、開閉部１２Ａ、開閉部１２Ｃ、開閉部１２Ｂ、開閉部１２Ｄの順番で開閉動作を行う（図１８（Ｄ）〜（Ｇ））。それに伴い、本変形例に係る複合画像生成部は、フレーム画像Ｐ１〜Ｐ８から、複合フレーム画像ＦＡ，ＦＣを生成し、次のタイミングに係るフレーム画像Ｑ１〜Ｑ８から、複合フレーム画像ＦＢ，ＦＤを生成し（図１８（Ａ），（Ｂ））、表示部２０がそれらの複合フレーム画像ＦＡ，ＦＣ，ＦＢ，ＦＤを時分割的に切り換えて表示する（図１８（Ｃ））。
【０１００】
図１９は、本変形例に係る立体表示装置における視認画像の画素情報配置を表すものである。立体表示装置１は、図１９に示したように、観察者が、表示画面の左から右に向かって画素情報Ｐ１（０，ｎ），Ｑ１（１，ｎ），Ｐ１（２，ｎ），Ｑ１（３，ｎ），Ｐ１（４，ｎ），Ｑ１（５，ｎ），Ｐ１（６，ｎ），…のように配列した画像を視認するように表示する。ここで、画素情報Ｐ１（０，ｎ），Ｐ１（４，ｎ）などは、複合フレーム画像ＦＡに基づき、開閉部１２Ａが開状態になったときに表示されたものであり、画素情報Ｑ１（１，ｎ），Ｑ１（５，ｎ）などは、複合フレーム画像ＦＢに基づき、開閉部１２Ｂが開状態になったときに表示されたものであり、画素情報Ｐ１（２，ｎ），Ｐ１（６，ｎ）などは、複合フレーム画像ＦＣに基づき、開閉部１２Ｃが開状態になったときに表示されるものであり、画素情報Ｑ１（３，ｎ）などは、複合フレーム画像ＦＤに基づき、開閉部１２Ｄが開状態になったときに表示されるものである。
【０１０１】
図２０は、本変形例に係る立体表示装置の表示例を表すものであり、（Ａ）は、フレーム画像Ｐ１〜Ｐ８に基づく表示期間における視認画像を示し、（Ｂ）は、フレーム画像Ｑ１〜Ｑ８に基づく表示期間おける視認画像を示し、（Ｃ）は、１動作周期期間における視認画像を示す。フレーム画像Ｐ１〜Ｐ８に基づく表示期間は、図１８のタイミングｔ１〜ｔ５の期間に対応するものであり、フレーム画像Ｑ１〜Ｑ８に基づく表示期間は、図１８のタイミングｔ５〜ｔ９の期間に対応するものである。また、１動作周期期間は、図１８のタイミングｔ１〜ｔ９の期間に対応するものである。
【０１０２】
本変形例では、フレーム画像Ｐ１〜Ｐ８が供給された場合、立体表示装置１は、図２０（Ａ）に示したように、複合フレーム画像ＦＡ，ＦＣを、それぞれ開閉部１２Ａ，１２Ｃにおいて表示する。また、フレーム画像Ｐ１〜Ｐ８とは異なるタイミングに係るフレーム画像Ｑ１〜Ｑ８が供給された場合、立体表示装置１は、図２０（Ｂ）に示したように、複合フレーム画像ＦＢ，ＦＤを、それぞれ開閉部１２Ｂ，１２Ｄにおいて表示する。すなわち、上記実施の形態に係る立体表示装置１は、図１１（Ａ），（Ｂ）に示したように、同じタイミングで供給されたフレーム画像に基づく表示を、互いに隣接した２つの開閉部１２において行うようにしたが、本変形例に係る立体表示装置は、図２０（Ａ），（Ｂ）に示したように、同じタイミングで供給されたフレーム画像に基づく表示を、互いに離間した２つの開閉部１２において行うようにしている。これにより、上記実施の形態に係る立体表示装置１の場合に比べてさらにインターレース表示のような効果を得ることができ、より動きの速い動画を表示する場合において、フリッカ感を低減し滑らかな映像を得ることができる。
【０１０３】
［変形例１−２］
上記実施の形態では、液晶バリア部１０は４つのグループの開閉部１２により構成するものとしたが、これに限定されるものではなく、これに代えて、例えば、６つのグループの開閉部１２により構成してもよい。この場合、複合画像生成部４５が、例えば、互いに異なる３組のフレーム画像に基づいて複合処理を行うことにより６つの複合フレーム画像を生成し、表示部２０がその６つの複合フレーム画像を時分割的に切り換えて表示し、開閉部１２がその表示に同期してグループ間で時分割的に開閉動作するようにしてもよい。
【０１０４】
＜２．第２の実施の形態＞
次に、本発明の第２の実施の形態に係る立体表示装置２について説明する。本実施の形態は、６つの視点映像に基づいて立体視表示を行う、３つのバリアグループを有する表示装置である。すなわち、第１の実施の形態では、４つのバリアグループＡ〜Ｄを有する液晶バリア部１０を用いて立体表示装置１を構成したが、本実施の形態では、３つのバリアグループＡ〜Ｃを有する液晶バリア部６０を用いて立体表示装置２を構成している。その他の構成は、上記第１の実施の形態（図１など）と同様である。なお、上記第１の実施の形態に係る立体表示装置１と実質的に同一の構成部分には同一の符号を付し、適宜説明を省略する。
【０１０５】
図２１は、液晶バリア部６０における開閉部１２のグループ構成例を表すものである。開閉部１２は、この例では、ｘ軸方向において、３つのグループＡ〜Ｃが巡回的に現れるようにグループを構成している。
【０１０６】
図２２は、立体表示装置２における液晶バリア部６０および表示部２０の一動作例を表すものであり、（Ａ）〜（Ｃ）は立体視表示を行う場合の３つの状態をそれぞれ示す。この例では、開閉部１２Ａは、表示部２０の６つの画素Ｐｉｘに１つの割合で設けられている。同様に、開閉部１２Ｂ，１２Ｃは、それぞれ、表示部２０の６つの画素Ｐｉｘに１つの割合で設けられている。
【０１０７】
映像信号ＳＡ（後述する複合フレーム画像ＦＡ１，ＦＡ２）が供給された場合には、図２２（Ａ）に示したように、開閉部１２Ａが開状態になるとともに、それ以外の開閉部１２が閉状態になる。表示部２０では、この開閉部１２Ａに対応した位置に配置された互いに隣接する６つの画素Ｐｉｘが、映像信号ＳＡに含まれる６つの視点映像に対応する表示（画素情報ｄ１〜ｄ６）を行う。同様に、映像信号ＳＢ（後述する複合フレーム画像ＦＢ１，ＦＢ２）が供給された場合には、図２２（Ｂ）に示したように、開閉部１２Ｂが開状態になるとともに、それ以外の開閉部１２が閉状態になる。表示部２０では、この開閉部１２Ｂに対応した位置に配置された互いに隣接する６つの画素Ｐｉｘが、映像信号ＳＢに含まれる６つの視点映像に対応する表示（画素情報ｄ１〜ｄ６）を行う。また、映像信号ＳＣ（後述する複合フレーム画像ＦＣ１，ＦＣ２）が供給された場合には、図２２（Ｃ）に示したように、開閉部１２Ｃが開状態になるとともに、それ以外の開閉部１２が閉状態になる。表示部２０では、この開閉部１２Ｃに対応した位置に配置された互いに隣接する６つの画素Ｐｉｘが、映像信号ＳＣに含まれる６つの視点映像に対応する表示（画素情報ｄ１〜ｄ６）を行う。
【０１０８】
図２３は、立体表示装置２における表示動作のタイミング図を表すものであり、（Ａ）は映像信号Ｓdispを示し、（Ｂ）は映像信号ＳＡ〜ＳＣを示し、（Ｃ）は表示部２０の動作を示し、（Ｄ）〜（Ｆ）は液晶バリア部６０の開閉部１２Ａ〜１２Ｃの動作をそれぞれ示す。
【０１０９】
立体表示装置２には、映像供給周期Ｔ０ごとに、６視点分の視点映像（画像フレームＰ１〜Ｐ６，Ｑ１〜Ｑ６，Ｒ１〜Ｒ６）が映像信号Ｓdispとして供給される。立体表示装置１では、複合画像生成部４５が、互いに異なる３組の画像フレームＰ１〜Ｐ６，Ｑ１〜Ｑ６，Ｒ１〜Ｒ６に基づいて複合フレーム画像ＦＡ１，ＦＢ１，ＦＣ１，ＦＡ２，ＦＢ２，ＦＣ２を生成して、表示部２０がこれらの複合フレーム画像を時分割的に切り換えて表示する。そして、開閉部１２Ａ〜１２Ｃが、バリア開閉周期Ｔ１でその表示に同期して開閉動作する。すなわち、映像供給周期Ｔ０に対応する期間の３つ分が、バリア開閉周期Ｔ１に対応する期間の２つ分と等しくなっている。そして、立体表示装置１は、動作周期Ｔごとにこの動作を繰り返す。ここで、映像供給周期Ｔ０は、例えば約１６．７[msec]（＝１／６０[Hz]）である。この場合、バリア開閉周期Ｔ１は、例えば２５[msec]（＝１／４０[Hz]）であり、動作周期Ｔは、例えば、５０[msec]（＝１／２０[Hz]）である。以下に、この詳細動作を説明する。
【０１１０】
立体表示装置２は、タイミングｔ１〜ｔ３の期間において、複合フレーム画像ＦＡ１の表示を行う。まず、複合画像生成部４５は、画像フレームＰ１〜Ｐ６に基づいて、複合フレーム画像ＦＡ１（映像信号ＳＡ）を生成する（図２３（Ｂ））。そして、表示部２０では、複合フレーム画像ＦＡ１の表示が２回続けて行われる（図２３（Ｃ））。液晶バリア部６０では、タイミングｔ２〜ｔ３の期間のうち、表示部２０の液晶が応答し終わった期間において、開閉部１２Ａが開状態になる（図２３（Ｄ））。これにより、観察者は複合フレーム画像ＦＡ１の表示を見ることができる。
【０１１１】
次に、立体表示装置２は、タイミングｔ３〜ｔ５の期間において、複合フレーム画像ＦＢ１の表示を行う。まず、複合画像生成部４５は、画像フレームＰ１〜Ｐ６に基づいて、複合フレーム画像ＦＢ１（映像信号ＳＢ）を生成する（図２３（Ｂ））。そして、表示部２０では、複合フレーム画像ＦＢ１の表示が２回続けて行われる（図２３（Ｃ））。液晶バリア部６０では、タイミングｔ４〜ｔ５の期間のうち、表示部２０の液晶が応答し終わった期間において、開閉部１２Ｂが開状態になる（図２３（Ｅ））。これにより、観察者は複合フレーム画像ＦＢ１の表示を見ることができる。
【０１１２】
次に、立体表示装置２は、タイミングｔ５〜ｔ７の期間において、複合フレーム画像ＦＣ１の表示を行う。まず、複合画像生成部４５は、新たに供給された画像フレームＱ１〜Ｑ６に基づいて、複合フレーム画像ＦＣ１（映像信号ＳＣ）を生成する（図２３（Ｂ））。そして、表示部２０では、複合フレーム画像ＦＣ１の表示が２回続けて行われる（図２３（Ｃ））。液晶バリア部６０では、タイミングｔ６〜ｔ７の期間のうち、表示部２０の液晶が応答し終わった期間において、開閉部１２Ｃが開状態になる（図２３（Ｆ））。これにより、観察者は複合フレーム画像ＦＣ１の表示を見ることができる。
【０１１３】
次に、立体表示装置２は、タイミングｔ７〜ｔ９の期間において、複合フレーム画像ＦＡ２の表示を行う。まず、複合画像生成部４５は、画像フレームＱ１〜Ｑ６に基づいて、複合フレーム画像ＦＡ２（映像信号ＳＡ）を生成する（図２３（Ｂ））。そして、表示部２０では、複合フレーム画像ＦＡ２の表示が２回続けて行われる（図２３（Ｃ））。液晶バリア部６０では、タイミングｔ８〜ｔ９の期間のうち、表示部２０の晶が応答し終わった期間において、開閉部１２Ａが開状態になる（図２３（Ｄ））。これにより、観察者は複合フレーム画像ＦＡ２の表示を見ることができる。
【０１１４】
次に、立体表示装置２は、タイミングｔ９〜ｔ１１の期間において、複合フレーム画像ＦＢ２の表示を行う。まず、複合画像生成部４５は、新たに供給された画像フレームＲ１〜Ｒ６に基づいて、複合フレーム画像ＦＢ２（映像信号ＳＢ）を生成する（図２３（Ｂ））。そして、表示部２０では、複合フレーム画像ＦＢ２の表示が２回続けて行われる（図２３（Ｃ））。液晶バリア部６０では、タイミングｔ１０〜ｔ１１の期間のうち、表示部２０の液晶が応答し終わった期間において、開閉部１２Ｂが開状態になる（図２３（Ｅ））。これにより、観察者は複合フレーム画像ＦＢ２の表示を見ることができる。
【０１１５】
次に、立体表示装置２は、タイミングｔ１１〜ｔ１３の期間において、複合フレーム画像ＦＣ２の表示を行う。まず、複合画像生成部４５は、画像フレームＲ１〜Ｒ６に基づいて、複合フレーム画像ＦＣ２（映像信号ＳＣ）を生成する（図２３（Ｂ））。そして、表示部２０では、複合フレーム画像ＦＣ２の表示が２回続けて行われる（図２３（Ｃ））。液晶バリア部６０では、タイミングｔ１２〜ｔ１３の期間のうち、表示部２０の液晶が応答し終わった期間において、開閉部１２Ｃが開状態になる（図２３（Ｆ））。これにより、観察者は複合フレーム画像ＦＣ２の表示を見ることができる。
【０１１６】
以上の動作を繰り返すことにより、立体表示装置１は、映像信号Ｓdispとして供給される、互いに異なるタイミングに係るフレーム画像Ｐ１〜Ｐ６，Ｑ１〜Ｑ６，Ｒ１〜Ｒ６に基づいて複合フレーム画像ＦＡ〜ＦＣを生成し、複合フレーム画像ＦＡ１，ＦＡ２の表示（開閉部１２Ａにおける表示）と、複合フレーム画像ＦＢ１，ＦＢ２の表示（開閉部１２Ｂにおける表示）と、複合フレーム画像ＦＣ１，ＦＣ２の表示（開閉部１２Ｃにおける表示）とを時分割的に切り換えて行う。
【０１１７】
次に、複合画像生成部４５における複合処理について説明する。
【０１１８】
立体表示装置２では、複合画像生成部４５は、供給された各視点映像のうち、フレーム画像Ｐ１〜Ｐ６に対して複合処理を行うことにより複合フレーム画像ＦＡ１，ＦＢ１を生成し、次のタイミングに係るフレーム画像Ｑ１〜Ｑ６に対して複合処理を行うことにより複合フレーム画像ＦＣ１，ＦＡ２を生成し、さらに次のタイミングに係るフレーム画像Ｒ１〜Ｒ６に対して複合処理を行うことにより複合フレーム画像ＦＢ２，ＦＣ２を生成する。なお、フレーム画像Ｐ１〜Ｐ６，Ｑ１〜Ｑ６，Ｒ１〜Ｒ６は、図１２，１４に示したものと同様のものであるため、以下、詳細な説明を省略する。
【０１１９】
まず最初に、複合フレーム画像ＦＡ１，ＦＢ１の生成について説明する。
【０１２０】
図２４（Ａ）は、複合フレーム画像ＦＡ１の画素情報配置を表すものであり、図２４（Ｂ）は、複合フレーム画像ＦＢ１の画素情報配置を表すものである。複合画像生成部４５は、フレーム画像Ｐ１〜Ｐ６のそれぞれにおいて３列おきに画素情報を選択し、その選択された画素情報に基づいて複合フレーム画像ＦＡ１，ＦＢ１を生成する。
【０１２１】
複合フレーム画像ＦＡ１の生成を行う際には、複合画像生成部４５は、まず、フレーム画像Ｐ１〜Ｐ６の第０列の画素情報（Ｐ１（０，ｎ），Ｐ２（０，ｎ），…，Ｐ６（０，ｎ））をそれぞれ選択し、図２４（Ａ）に示したように、複合フレーム画像ＦＡ１の左から右に向かって配置する。次に、複合画像生成部４５は、フレーム画像Ｐ１〜Ｐ６の第３列の画素情報（Ｐ１（３，ｎ），Ｐ２（３，ｎ），…，Ｐ６（３，ｎ））をそれぞれ選択し、続いて配置する。複合画像生成部４５は、引き続きこのような処理を行うことにより、複合フレーム画像ＦＡ１を生成する。ここで、複合フレーム画像ＦＡ１における各画素情報は、図２２（Ａ）における各画素情報と対応している。具体的には、例えば、複合フレーム画像ＦＡ１における画素情報Ｐ１（０，ｎ），Ｐ１（３，ｎ），…は、図２２（Ａ）における画素情報ｄ１に対応し、複合フレーム画像ＦＡ１における画素情報Ｐ２（０，ｎ），Ｐ２（３，ｎ），…は、図２２（Ａ）における画素情報ｄ２に対応している。
【０１２２】
複合フレーム画像ＦＢ１の生成を行う際には、複合画像生成部４５は、まず、ダミーの画素情報Ｐ５（−２，ｎ），Ｐ６（−２，ｎ）を配置した後、フレーム画像Ｐ１〜Ｐ６の第１列の画素情報（Ｐ１（１，ｎ），Ｐ２（１，ｎ），…，Ｐ６（１，ｎ））をそれぞれ選択し、図２４（Ｂ）に示したように、複合フレーム画像ＦＢ１の左から右に向かって配置する。次に、複合画像生成部４５は、フレーム画像Ｐ１〜Ｐ６の第４列の画素情報（Ｐ１（４，ｎ），Ｐ２（４，ｎ），…，Ｐ６（４，ｎ））をそれぞれ選択し、続いて配置する。複合画像生成部４５は、引き続きこのような処理を行うことにより、複合フレーム画像ＦＢ１を生成する。ここで、複合フレーム画像ＦＢ１における各画素情報は、図２２（Ｂ）における各画素情報と対応している。具体的には、例えば、複合フレーム画像ＦＢ１における画素情報Ｐ１（１，ｎ），Ｐ１（４，ｎ），…は、図２２（Ｂ）における画素情報ｄ１に対応し、複合フレーム画像ＦＢ１における画素情報Ｐ２（１，ｎ），Ｐ２（４，ｎ），…は、図２２（Ｂ）における画素情報ｄ２に対応している。
【０１２３】
図２５（Ａ）は、複合フレーム画像ＦＣ１の画素情報配置を表すものであり、図２５（Ｂ）は、複合フレーム画像ＦＡ２の画素情報配置を表すものである。複合画像生成部４５は、フレーム画像Ｑ１〜Ｑ６のそれぞれにおいて３列おきに画素情報を選択し、その選択された画素情報に基づいて複合フレーム画像ＦＣ１，ＦＡ２を生成する。
【０１２４】
複合フレーム画像ＦＣ１の生成を行う際には、複合画像生成部４５は、まず、ダミーの画素情報Ｑ３（−１，ｎ），Ｑ４（−１，ｎ），Ｑ５（−１，ｎ），Ｑ６（−１，ｎ）を配置した後、フレーム画像Ｑ１〜Ｑ６の第２列の画素情報（Ｑ１（２，ｎ），Ｑ２（２，ｎ），…，Ｑ６（２，ｎ））をそれぞれ選択し、図２５（Ａ）に示したように、複合フレーム画像ＦＣ１の左から右に向かって配置する。次に、複合画像生成部４５は、フレーム画像Ｑ１〜Ｑ６の第５列の画素情報（Ｑ１（５，ｎ），Ｑ２（５，ｎ），…，Ｑ６（５，ｎ））をそれぞれ選択し、続いて配置する。複合画像生成部４５は、引き続きこのような処理を行うことにより、複合フレーム画像ＦＣ１を生成する。ここで、複合フレーム画像ＦＣ１における各画素情報は、図２２（Ｃ）における各画素情報と対応している。具体的には、例えば、複合フレーム画像ＦＣ１における画素情報Ｑ１（２，ｎ），Ｑ１（５，ｎ），…は、図２２（Ｃ）における画素情報ｄ１に対応し、複合フレーム画像ＦＣ１における画素情報Ｑ２（２，ｎ），Ｑ２（５，ｎ），…は、図２２（Ｃ）における画素情報ｄ２に対応している。
【０１２５】
複合フレーム画像ＦＡ２の生成を行う際には、複合画像生成部４５は、まず、フレーム画像Ｑ１〜Ｑ６の第０列の画素情報（Ｑ１（０，ｎ），Ｑ２（０，ｎ），…，Ｑ６（０，ｎ））をそれぞれ選択し、図２５（Ｂ）に示したように、複合フレーム画像ＦＡ２の左から右に向かって配置する。次に、複合画像生成部４５は、フレーム画像Ｑ１〜Ｑ６の第３列の画素情報（Ｑ１（３，ｎ），Ｑ２（３，ｎ），…，Ｑ６（３，ｎ））をそれぞれ選択し、続いて配置する。複合画像生成部４５は、引き続きこのような処理を行うことにより、複合フレーム画像ＦＡ２を生成する。ここで、複合フレーム画像ＦＡ２における各画素情報は、図２２（Ａ）における各画素情報と対応している。具体的には、例えば、複合フレーム画像ＦＡ２における画素情報Ｑ１（０，ｎ），Ｑ１（３，ｎ），…は、図２２（Ａ）における画素情報ｄ１に対応し、複合フレーム画像ＦＡ２における画素情報Ｑ２（０，ｎ），Ｑ２（３，ｎ），…は、図２２（Ａ）における画素情報ｄ２に対応している。
【０１２６】
図２６（Ａ）は、複合フレーム画像ＦＢ２の画素情報配置を表すものであり、図２６（Ｂ）は、複合フレーム画像ＦＣ２の画素情報配置を表すものである。複合画像生成部４５は、フレーム画像Ｒ１〜Ｒ６のそれぞれにおいて３列おきに画素情報を選択し、その選択された画素情報に基づいて複合フレーム画像ＦＢ２，ＦＣ２を生成する。
【０１２７】
複合フレーム画像ＦＣ１の生成を行う際には、複合画像生成部４５は、まず、ダミーの画素情報Ｒ５（−２，ｎ），Ｒ６（−２，ｎ）を配置した後、フレーム画像Ｒ１〜Ｒ６の第１列の画素情報（Ｒ１（１，ｎ），Ｒ２（１，ｎ），…，Ｒ６（１，ｎ））をそれぞれ選択し、図２６（Ａ）に示したように、複合フレーム画像ＦＢ２の左から右に向かって配置する。次に、複合画像生成部４５は、フレーム画像Ｒ１〜Ｒ６の第４列の画素情報（Ｒ１（４，ｎ），Ｒ２（４，ｎ），…，Ｒ６（４，ｎ））をそれぞれ選択し、続いて配置する。複合画像生成部４５は、引き続きこのような処理を行うことにより、複合フレーム画像ＦＢ２を生成する。ここで、複合フレーム画像ＦＢ２における各画素情報は、図２２（Ｂ）における各画素情報と対応している。具体的には、例えば、複合フレーム画像ＦＢ２における画素情報Ｒ１（１，ｎ），Ｒ１（４，ｎ），…は、図２２（Ｂ）における画素情報ｄ１に対応し、複合フレーム画像ＦＢ２における画素情報Ｒ２（１，ｎ），Ｒ２（４，ｎ），…は、図２２（Ｂ）における画素情報ｄ２に対応している。
【０１２８】
複合フレーム画像ＦＣ２の生成を行う際には、複合画像生成部４５は、まず、ダミーの画素情報Ｒ３（−１，ｎ），Ｒ４（−１，ｎ），Ｒ５（−１，ｎ），Ｒ６（−１，ｎ）を配置した後、フレーム画像Ｒ１〜Ｒ６の第２列の画素情報（Ｒ１（２，ｎ），Ｒ２（２，ｎ），…，Ｒ６（２，ｎ））をそれぞれ選択し、図２６（Ｂ）に示したように、複合フレーム画像ＦＣ２の左から右に向かって配置する。次に、複合画像生成部４５は、フレーム画像Ｒ１〜Ｒ６の第５列の画素情報（Ｒ１（５，ｎ），Ｒ２（５，ｎ），…，Ｒ６（５，ｎ））をそれぞれ選択し、続いて配置する。複合画像生成部４５は、引き続きこのような処理を行うことにより、複合フレーム画像ＦＣ２を生成する。ここで、複合フレーム画像ＦＣ２における各画素情報は、図２２（Ｃ）における各画素情報と対応している。具体的には、例えば、複合フレーム画像ＦＣ２における画素情報Ｒ１（２，ｎ），Ｒ１（５，ｎ），…は、図２２（Ｃ）における画素情報ｄ１に対応し、複合フレーム画像ＦＣ２における画素情報Ｒ２（２，ｎ），Ｒ２（５，ｎ），…は、図２２（Ｃ）における画素情報ｄ２に対応している。
【０１２９】
図２７は、視認画像の画素情報配置を表すものであり、（Ａ）は、図２３に示したタイミングｔ１〜ｔ７の期間における画素情報配置を示し、（Ｂ）は、図２３に示したタイミングｔ７〜ｔ１３の期間における画素情報配置を示す。この例では、図１６と同様に、観察者が、一方の目で６つの視点映像のうちの一つ（ここではフレーム画像Ｐ１，Ｑ１，Ｒ１）を見る場合を示している。
【０１３０】
立体表示装置２は、図２３に示したタイミングｔ１〜ｔ７の期間においては、図２７（Ａ）に示したように、観察者が、表示画面の左から右に向かって画素情報Ｐ１（０，ｎ），Ｐ１（１，ｎ），Ｑ１（２，ｎ），Ｐ１（３，ｎ），Ｐ１（４，ｎ），Ｑ１（５，ｎ），…のように配列した画像を視認するように表示する。ここで、画素情報Ｐ１（０，ｎ），Ｐ１（３，ｎ）などは、複合フレーム画像ＦＡ１（図２４（Ａ））に基づき、開閉部１２Ａが開状態になったときに表示されたものであり、画素情報Ｐ１（１，ｎ），Ｐ１（４，ｎ）などは、複合フレーム画像ＦＢ１（図２４（Ｂ））に基づき、開閉部１２Ｂが開状態になったときに表示されたものであり、画素情報Ｑ１（２，ｎ），Ｑ１（５，ｎ）などは、複合フレーム画像ＦＣ１（図２５（Ａ））に基づき、開閉部１２Ｃが開状態になったときに表示されたものである。
【０１３１】
また、立体表示装置２は、図２３に示したタイミングｔ７〜ｔ１３の期間においては、図２７（Ｂ）に示したように、観察者が、表示画面において、左から右に向かって画素情報Ｑ１（０，ｎ），Ｒ１（１，ｎ），Ｒ１（２，ｎ），Ｑ１（３，ｎ），Ｒ１（４，ｎ），Ｒ１（５，ｎ），…のように配列した画像を視認するように表示する。ここで、画素情報Ｑ１（０，ｎ），Ｑ１（３，ｎ）などは、複合フレーム画像ＦＡ２（図２５（Ｂ））に基づき、開閉部１２Ａが開状態になったときに表示されたものであり、画素情報Ｒ１（１，ｎ），Ｒ１（４，ｎ）などは、複合フレーム画像ＦＢ２（図２６（Ａ））に基づき、開閉部１２Ｂが開状態になったときに表示されたものであり、画素情報Ｒ１（２，ｎ），Ｒ１（５，ｎ）などは、複合フレーム画像ＦＣ２（図２６（Ｂ））に基づき、開閉部１２Ｃが開状態になったときに表示されたものである。
【０１３２】
このように、３つのグループに係る開閉部１２Ａ〜１２Ｃを時分割的に切り換えて開放し映像を表示することによって、立体表示装置２は、開閉部１２Ａのみをもつ場合に比べ、３倍の解像度を実現することが可能となる。言い換えれば、立体表示装置２の解像度は、２次元表示の場合に比べ１／２（＝１／６×３）で済むこととなる。
【０１３３】
［効果］
以上のように本実施の形態では、３組のフレーム画像に基づいて複合フレーム画像を生成するようにしたので、３つのバリアグループを有する場合においても、解像度を高めつつ、フリッカ感を感じるおそれを低減することができ、画質を高めることができる。
【０１３４】
以上、いくつかの実施の形態および変形例を挙げて本発明を説明したが、本発明はこれらの実施の形態等には限定されず、種々の変形が可能である。
【０１３５】
例えば、上記実施の形態等では、液晶バリア部１０は４つのグループ（第１の実施の形態）や、３つのグループ（第２の実施の形態）の開閉部１２により構成したが、これに限定されるものではない。以下に、２つのグループの開閉部１２により構成する場合の例について説明する。
【０１３６】
図２８は、２つのグループの開閉部１２により液晶バリア部を構成した場合における、表示動作のタイミング図を表すものである。この立体表示装置には、映像供給周期Ｔ０ごとに、８視点分の視点映像（画像フレームＰ１〜Ｐ８，Ｑ１〜Ｑ８）が映像信号Ｓdispとして供給される。そして、複合画像生成部４５は、画像フレームＰ１〜Ｐ８に基づいて複合フレーム画像ＦＡを生成するとともに、画像フレームＰ１〜Ｐ８とは異なる画像フレームＱ１〜Ｑ８に基づいて複合フレーム画像ＦＢを生成し、表示部２０がこれらの複合フレーム画像を時分割的に切り換えて表示する。そして、開閉部１２Ａ，１２Ｂが、バリア開閉周期Ｔ１でその表示に同期して開閉動作する。すなわち、映像供給周期Ｔ０に対応する期間の２つ分が、バリア開閉周期Ｔ１に対応する期間と等しくなっている。
【０１３７】
この駆動方法は、例えば、表示部２０として、応答速度の遅い液晶表示装置を用いて表示部２０を構成した場合に適用することができる。
【０１３８】
例えば、上記実施の形態等では、液晶バリアの開閉部はｙ軸方向に延伸するものとしたが、これに限定されるものではない。例えば、図２９（Ａ）に示したステップバリア形式や、図２９（Ｂ）に示した斜めバリア形式が使用可能である。ステップバリア形式については、例えば、特開２００４−２６４７６２号公報に記載がある。また、斜めバリア形式については、例えば、特開２００５−８６５０６号公報に記載がある。これらのバリア形式を用いることにより、立体表示装置の表示画面における、ｘ軸方向の解像度とｙ軸方向の解像度とのバランスを改善することができ、また、モアレを低減することができる。
【０１３９】
また、例えば、上記実施の形態等では、立体表示装置のバックライト３０、表示部２０、液晶バリア部１０は、この順に配置したが、これに限定されるものではなく、これに代えて、例えば、図３０に示したように、バックライト３０、液晶バリア部１０、表示部２０の順に配置してもよい。
【０１４０】
図３１は、本変形例に係る表示部２０および液晶バリア部１０の動作例を表すものであり、複合フレーム画像ＦＡを表示する場合の例を示す。この図３１は、上記第１の実施の形態にかかわる立体表示装置１に対して本変形を適用したものである。本変形例では、バックライト３０から射出した光は、まず液晶バリア部１０に入射する。そして、その光のうち、開閉部１２Ａ〜１２Ｄを透過した光が表示部２０において変調されるとともに、８つの視点映像を出力するようになっている。
【０１４１】
また、例えば、上記実施の形態等では、バックライトは常時点灯するものとしたが、これに限定されるものではなく、これに代えて、例えば、一定周期で点灯および消灯を繰り返すようにしてもよい。これは、例えば、液晶バリア部１０の開閉部１２（１２Ａ，１２Ｂ）の応答時間が長い場合に適用可能である。以下に、上記第１の実施の形態に係る立体表示装置１に対して本変形を適用した場合の例について説明する。
【０１４２】
図３２は、本変形例に係る立体表示装置１Ｄにおける表示動作のタイミング図を表すものである。図３２（Ｄ）〜（Ｇ）において、“開→閉”は開閉部１２（１２Ａ〜１２Ｄ）が開状態から閉状態に変化している状態を示しており、“閉→開”は開閉部１２が閉状態から開状態に変化している状態であることを示している。この“開→閉”および“閉→開”は、液晶バリア部１０の開閉部１２の液晶分子の応答に対応するものである。バックライト３０は、開閉部１２が開状態になった期間において点灯し、その他の期間では消灯する。これにより、観察者は、開閉部１２が“開→閉”および“閉→開”のように過渡的に変化する状態における表示を見ることがないため、画質劣化を低減することができる。
【０１４３】
また、例えば、上記実施の形態等では、バックライト３０は、面発光した光を表示部２０の全面に供給するようにしたが、これに限定されるものではなく、これに代えて、例えば、バックライトを複数の領域に分割し、それぞれが独立して表示部２０に対して光を供給するようにしてもよい。以下に、バックライトを２つの領域に分割する場合の例について説明する。
【０１４４】
図３３は、本変形例に係るバックライト３０Ｅの一構成例を表すものであり、（Ａ）はバックライト３０Ｅの平面図を示し、（Ｂ）はバックライト３０Ｅの要部の斜視図を示す。図３４は、表示部２０における区域Ｚ１，Ｚ２を表すものである。バックライト３０Ｅは、図３３（Ａ）に示したように、ｙ軸方向（表示部２０における線順次走査方向）に並設された、独立して発光可能な２つの発光部ＢＬ１，ＢＬ２を有している。発光部ＢＬ１，ＢＬ２は、図３３（Ｂ）に示したように、それぞれ、光源３１と、導光板３２とを有している。光源３１は、この例では、ＬＥＤにより構成されている。導光板３２は、光源３１から射出した光を拡散することにより、発光部ＢＬ１，ＢＬ２がほぼ均一に面発光するように機能する。発光部ＢＬ１，ＢＬ２は、表示部２０の区域Ｚ１，Ｚ２に対応した位置にそれぞれ設けられている。なお、この例では、光源３１はＬＥＤにより構成されるものとしたが、これに限定されるものではなく、これに代えて、例えばＣＣＦＬにより構成されるようにしてもよい。
【０１４５】
発光部ＢＬ１，ＢＬ２が独立して発光できるようにするため、バックライト３０Ｅでは、発光部ＢＬ１と発光部ＢＬ２との間で互いに光が伝わらないようになっている。具体的には、まず、１つの光源３１から射出した光は、その光源３１に対応する導光板３２にのみ入射するようになっている。そして、導光板３２に入射した光は、導光板３２の側面において全反射するようになっており、これにより隣接する導光板３２にこの側面を介して光が伝わらないようになっている。この全反射は、具体的には、光源３１の位置を調整し、あるいは、導光板３２の側面に光反射を起こす反射面を設けることにより実現可能である。
【０１４６】
図３５は、本変形例に係る立体表示装置１Ｅにおける表示動作のタイミング図を表すものである。この図３５は、上記第１の実施の形態にかかわる立体表示装置１に対して本変形を適用したものである。立体表示装置１Ｅでは、表示部２０の線順次走査方向に対してバックライト３０を分割し、走査に合わせてそれぞれが独立して発光する。これにより、表示部２０の各区域Ｚ１，Ｚ２に対して、独立して点灯期間を設定できるため、点灯時間を長くすることができ、輝度を高めることができる。
【０１４７】
また、本変形例に係る立体表示装置１Ｅにおいて、さらに、図３６，３７に示したように、液晶バリア部１０の開閉部１２を線順次走査方向（ｙ軸方向）に分割してもよい。この例では、液晶バリア部１０Ｆの開閉部１２は、図３６に示したように、バックライト３０Ｅ（図３３（Ａ）），表示部２０（図３４）の区域Ｚ１，Ｚ２に対応するように分割されている。そして、図３７に示したように、区域Ｚ１に属する開閉部１２は、グループＡ１，Ｂ１，Ｃ１，Ｄ１を構成し、区域Ｚ２に属する開閉部１２は、グループＡ２，Ｂ２，Ｃ２，Ｄ２を構成している。
【０１４８】
図３８は、本変形例の立体表示装置１Ｆにおける表示動作のタイミング図を表すものである。立体表示装置１Ｆでは、表示部２０の線順次走査方向に対して、バックライト３０に加え、開閉部１２をも分割し、開閉部１２は、走査に合わせて独立して開閉動作を行う。これにより、開閉部１２における開閉動作の応答速度が遅い場合であっても、バックライトの点灯時間を長くすることができ、輝度を高めることができる。
【０１４９】
また、例えば、上記実施の形態等では、立体表示装置には、複数の視点映像（上記実施の形態等では６つまたは８つ）を有する映像信号Ｓdispが供給されるものとしたが、これに限定されるものではない。例えば、立体表示装置は、外部から供給された映像に基づいてこれらの複数の視点映像を生成する多視点映像生成部を備えていても良い。この多視点映像生成部は、例えば、供給された左右の２つの視点映像に基づいて、これらの複数の視点映像を生成するようにしてもよいし、供給された１つの映像に基づいて、これらの複数の視点映像を生成するようにしてもよい。１つの映像に基づいて複数の視点映像を生成する方法としては、例えば、２つの視点映像を生成する例について、http://www.jvc-victor.co.jp/press/2010/3d-movie.html?rss=jvc-victorに記載がある。
【０１５０】
また、例えば、上記実施の形態等では、複合画像生成部４５は、複数のフレーム画像に基づいて複合フレーム画像を生成するようにしたが、これに限定されるものではなく、これに代えて、必要に応じて間引いた複数のフレーム画像に基づいて複合フレーム画像を生成するようにしてもよい。以下に、上記第１の実施の形態に係る立体表示装置１の場合を例に説明する。
【０１５１】
立体表示装置１では、複合画像生成部４５は、フレーム画像Ｐ１〜Ｐ８のそれぞれにおける、第０列、第４列などの画素情報に基づいて複合フレーム画像ＦＡを生成するとともに、第１列、第５列などの画素情報に基づいて複合フレーム画像ＦＢを生成する。すなわち、フレーム画像Ｐ１〜Ｐ８のそれぞれにおける、第２列、第３列、第６列、第７列などの画素情報は使用されることはない。よって、これらの使用されることのない画素情報を間引いたフレーム画像を入力とし、これらに基づいて複合フレーム画像ＦＡ，ＦＢを生成するようにしてもよい。同様に、複合画像生成部４５は、フレーム画像Ｑ１〜Ｑ８のそれぞれにおける、第２列、第６列などの画素情報に基づいて複合フレーム画像ＦＣを生成するとともに、第３列、第７列などの画素情報に基づいて複合フレーム画像ＦＤを生成する。すなわち、フレーム画像Ｑ１〜Ｑ８のそれぞれにおける、第０列、第１列、第４列、第５列などの画素情報は使用されることはない。よって、これらの使用されることのない画素情報を間引いたフレーム画像を入力とし、これらに基づいて複合フレーム画像ＦＣ，ＦＤを生成するようにしてもよい。このように構成することにより、複合画像生成部４５の処理の負担を軽減することができるとともに、複合画像生成部４５が有するフレーム画像を記憶するためのフレームメモリの容量を半減することができる。
【０１５２】
また、例えば、上記実施の形態等では、表示部２０は液晶を用いるものとしたが、これに限定されるものではなく、これに代えて、例えばＥＬ（Electro Luminescence）を用いるものであってもよい。なお、ＥＬを用いた場合には、ＥＬが自発光素子であるため、バックライトは必要ない。
【０１５３】
また、例えば、上記実施の形態等では、液晶により構成された液晶バリア部１０を用いるようにしたが、これに限定されるものではなく、他のものにより構成されたバリアを用いても良い。
【０１５４】
また、例えば、上記実施の形態等では、映像供給周期Ｔ０は、約１６．７[msec]（＝１／６０[Hz]）としたがこれに限定されるものではなく、例えば、上述したように２０[msec]（＝１／５０[Hz]）であってもよいし、他の値であってもよい。
【符号の説明】
【０１５５】
１，１Ｂ，２…立体表示装置、１０，１０Ａ，１０Ｂ，６０…液晶バリア部、１１，１２，１２Ａ〜１２Ｄ…開閉部、１３，１６…透明基板、１４，１８…偏光板、１５，１７…透明電極、１９…液晶層、２０…表示部、３０…バックライト、４０…制御部、４１…バリア駆動部、４２…バックライト駆動部、４５…複合画像生成部、５１…タイミング制御部、５２…ゲートドライバ、５３…データドライバ、Ａ〜Ｄ，Ａ１〜Ｄ１，Ａ２〜Ｄ２…グループ、Ｃａｐ…保持容量素子、ＣＢＬ…バックライト制御信号、ＣＢＲ…バリア制御信号、ｄ１〜ｄ８…画素情報、ＦＡ〜ＦＤ，ＦＡ１〜ＦＣ１，ＦＡ２〜ＦＣ２…複合フレーム画像、ＧＣＬ…ゲート線、ＬＣ…液晶素子、Ｐ１〜Ｐ８，Ｑ１〜Ｑ８，Ｒ１〜Ｒ８…フレーム画像、Ｓ，Ｓ１，Ｓdisp，Ｓdisp2…映像信号、Ｐix…画素、ＳＧＬ…データ線、Ｔ…動作周期、Ｔ０…映像供給周期、Ｔ１…バリア開閉周期。
【図１】
2012141400.tif 000003
【図２】
2012141400.tif 000004
【図３】
2012141400.tif 000005
【図４】
2012141400.tif 000006
【図５】
2012141400.tif 000007
【図６】
2012141400.tif 000008
【図７】
2012141400.tif 000009
【図８】
2012141400.tif 000010
【図９】
2012141400.tif 000011
【図１０】
2012141400.tif 000012
【図１１】
2012141400.tif 000013
【図１２】
2012141400.tif 000014
【図１３】
2012141400.tif 000015
【図１４】
2012141400.tif 000016
【図１５】
2012141400.tif 000017
【図１６】
2012141400.tif 000018
【図１７】
2012141400.tif 000019
【図１８】
2012141400.tif 000020
【図１９】
2012141400.tif 000021
【図２０】
2012141400.tif 000022
【図２１】
2012141400.tif 000023
【図２２】
2012141400.tif 000024
【図２３】
2012141400.tif 000025
【図２４】
2012141400.tif 000026
【図２５】
2012141400.tif 000027
【図２６】
2012141400.tif 000028
【図２７】
2012141400.tif 000029
【図２８】
2012141400.tif 000030
【図２９】
2012141400.tif 000031
【図３０】
2012141400.tif 000032
【図３１】
2012141400.tif 000033
【図３２】
2012141400.tif 000034
【図３３】
2012141400.tif 000035
【図３４】
2012141400.tif 000036
【図３５】
2012141400.tif 000037
【図３６】
2012141400.tif 000038
【図３７】
2012141400.tif 000039
【図３８】
2012141400.tif 000040